(57)【要約】      （修正有）【課題】光ファイバフェルール研磨用ホルダーを光ファイバフェルール研磨機に迅速かつ容易に取り付けることができる研磨用ホルダー装着治具を提供する。【解決手段】研磨用ホルダー装着治具１０は、光ファイバフェルール研磨機の装着軸１０４を挿入パイプ１２の挿入空間に挿入すると、コイルバネ１５の付勢力に抗して操作ロッド１４の露出端部３６が、前記装着軸１０４の先端斜面１０８に沿って径方向外方へ次第に移動し、前記露出端部３６が前記装着軸１０４の外周面を摺動しつつ中央凹部１０９に達すると、コイルバネ１５の付勢力によって露出端部３６が中央凹部１０９に向かって径方向内方へ進出しつつ、前記露出端部３６が中央凹部１０９に露出し、光ファイバフェルール研磨用ホルダー５０が研磨用ホルダー装着治具１０を介して光ファイバフェルール研磨機の装着軸１０４に装着される。【選択図】図１６
2018134691.tif 000002
【特許請求の範囲】
【請求項１】
光ファイバフェルールの研磨に使用される光ファイバフェルール研磨用ホルダーを光ファイバフェルール研磨機に着脱可能に取り付ける研磨用ホルダー装着治具において、
前記研磨用ホルダー装着治具が、前記光ファイバフェルール研磨用ホルダーのホルダープレートに取り付けられる取付プレートと、前記取付プレートから縦方向へ延びていて前記光ファイバフェルール研磨機の装着軸を挿脱可能に挿入する挿入空間を有する挿入パイプと、前記挿入パイプの周壁を径方向へ貫通する貫通孔に挿入されて該挿入パイプから径方向外方へ延びる操作ロッドと、前記操作ロッドを前記挿入パイプの径方向内方へ付勢するコイルバネとから形成され、
前記操作ロッドが、前記コイルバネの付勢力によって前記挿入パイプの内周面から挿入空間に露出する露出端部と、前記露出端部につながって該露出端部から径方向外方へ延出し、前記コイルバネの付勢力に抗して前記露出端部を前記挿入パイプの挿入空間から径方向外方へ移動させるハンドル軸とから形成されていることを特徴とする研磨用ホルダー装着治具。
【請求項２】
前記光ファイバフェルール研磨機の装着軸が、その先端から軸方向後方へ向かって上り勾配に傾斜する先端斜面と、前記先端斜面から軸方向後方へ離間して軸方向へ延びていて前記装着軸の径方向内方へ凹む中央凹部とを備え、前記研磨用ホルダー装着治具は、前記光ファイバフェルール研磨機の装着軸を前記挿入パイプの挿入空間に挿入すると、前記コイルバネの付勢力に抗して前記露出端部が前記先端斜面に沿って径方向外方へ次第に移動し、前記露出端部が前記装着軸の外周面を摺動しつつ前記中央凹部に達すると、前記コイルバネの付勢力によって前記露出端部が前記中央凹部に向かって径方向内方へ進出しつつ該露出端部が該中央凹部に露出し、前記装着軸に装着され、前記コイルバネの付勢力に抗してハンドル軸を径方向外方へ移動させ、前記露出端部を前記挿入パイプの挿入空間から径方向外方へ移動させることで該露出端部が前記中央凹部から退出し、前記装着軸からの抜き取りが可能になる請求項１に記載の研磨用ホルダー装着治具。
【請求項３】
前記研磨用ホルダー装着治具が、前記挿入パイプの外周面に設置された収納ケースを含み、前記収納ケースが、前記挿入パイプの径方向へ延びていて前記操作ロッドのハンドル軸の前端部分と前記コイルバネとを収容する収容空間と、前記収容空間を囲繞する周壁と、前記ハンドル軸の前端部分を挿通する挿通孔が穿孔された後端壁と、前記操作ロッドの露出端部を挿通する挿通孔が穿孔された前端壁とを有し、前記コイルバネが、前記ハンドル軸の前端部分に挿通された状態で前記収容空間に収容されている請求項２に記載の研磨用ホルダー装着治具。
【請求項４】
前記操作ロッドの径方向外方へ延びる当接フランジが、前記ハンドル軸の前端部分に形成され、前記当接フランジの前端面が、前記挿入パイプの周壁に当接し、前記コイルバネの前端部が、前記当接フランジに当接しているとともに、前記コイルバネの後端部が、前記収納ケースの後端壁に当接している請求項３に記載の研磨用ホルダー装着治具。
【請求項５】
前記研磨用ホルダー装着治具の取付プレートが、前記ホルダープレートの中央部に着脱可能に取り付けられる請求項１ないし請求項４いずれかに記載の研磨用ホルダー装着治具。
【請求項６】
複数の前記光ファイバフェルールを前記光ファイバフェルール研磨用ホルダーに着脱可能に設置する複数の設置手段が、前記ホルダープレートの周縁部に形成され、前記研磨用ホルダー装着治具は、前記取付プレートを前記ホルダープレートに取り付けたときに、前記ハンドル軸の後端部分がそれら設置手段の間を通って前記ホルダープレートの周縁部から径方向外方に延出する請求項５に記載の研磨用ホルダー装着治具。
【請求項７】
前記光ファイバフェルール研磨機の装着軸を挿入パイプの挿入空間に挿入するときに、装着軸に対する挿入パイプの挿入位置を決める位置決め凹部または位置決め凸部が、前記挿入パイプの頂部に形成されている請求項１ないし請求項６いずれかに記載の研磨用ホルダー装着治具。
【請求項８】
光ファイバフェルールの研磨に使用される光ファイバフェルール研磨用ホルダーにおいて、
前記光ファイバフェルール研磨用ホルダーが、所定面積のホルダープレートと、前記ホルダープレートの周縁部に形成されて複数の前記光ファイバフェルールを着脱可能に設置する複数の設置手段と、前記光ファイバフェルール研磨用ホルダーを光ファイバフェルール研磨機に着脱可能に取り付ける研磨用ホルダー装着治具とを有し、
前記研磨用ホルダー装着治具が、前記光ファイバフェルール研磨用ホルダーのホルダープレートに設置された取付プレートと、前記取付プレートから縦方向へ延びていて前記光ファイバフェルール研磨機の装着軸を挿脱可能に挿入する挿入空間を有する挿入パイプと、前記挿入パイプの周壁を径方向へ貫通する貫通孔に挿入されて該挿入パイプから径方向外方へ延びる操作ロッドと、前記操作ロッドを前記挿入パイプの径方向内方へ付勢するコイルバネとから形成され、
前記操作ロッドが、前記コイルバネの付勢力によって前記挿入パイプの内周面から挿入空間に露出する露出端部と、前記露出端部につながって該露出端部から径方向外方へ延出し、前記コイルバネの付勢力に抗して前記露出端部を前記挿入パイプの挿入空間から径方向外方へ移動させるハンドル軸とから形成されていることを特徴とする光ファイバフェルール研磨用ホルダー。
【請求項９】
前記光ファイバフェルール研磨機の装着軸が、その先端から軸方向後方へ向かって上り勾配に傾斜する先端斜面と、前記先端斜面から軸方向後方へ離間した位置に軸方向へ延びていて前記装着軸の径方向内方へ凹む中央凹部とを備え、前記光ファイバフェルール研磨用ホルダーは、前記光ファイバフェルール研磨機の装着軸を前記研磨用ホルダー装着治具の挿入パイプの挿入空間に挿入すると、前記コイルバネの付勢力に抗して前記露出端部が前記先端斜面に沿って径方向外方へ次第に移動し、前記露出端部が前記装着軸の外周面を摺動しつつ前記中央凹部に達すると、前記コイルバネの付勢力によって前記露出端部が前記中央凹部に向かって径方向内方へ進出しつつ該露出端部が該中央凹部を露出し、前記研磨用ホルダー装着治具が前記装着軸に装着され、前記コイルバネの付勢力に抗して前記ハンドル軸を径方向外方へ移動させ、前記露出端部を前記挿入パイプの挿入空間から径方向外方へ移動させることで該露出端部が前記中央凹部から退出し、前記装着軸からの前記研磨用ホルダー装着治具の抜き取りが可能になる請求項８に記載の光ファイバフェルール研磨用ホルダー。
【請求項１０】
前記複数の設置手段が、前記ホルダープレートの周縁部に形成され、前記研磨用ホルダー装着治具の取付プレートが、前記ホルダープレートの中央部に取り付けられ、前記ハンドル軸の後端部分が、それら設置手段の間を通って前記ホルダープレートの周縁部から径方向外方に延出している請求項９に記載の光ファイバフェルール研磨用ホルダー。
【発明の詳細な説明】
【技術分野】
【０００１】
本発明は、光ファイバフェルール研磨用ホルダーを光ファイバフェルール研磨機に装着する研磨用ホルダー装着治具に関するとともに、光ファイバフェルールの研磨に使用される光ファイバフェルール研磨用ホルダーに関する。
【背景技術】
【０００２】
複数の光ファイバフェルールが挿入される複数の挿入孔を有するホルダープレートと、挿入孔から所定の距離に壁面を有して挿入孔の一側に連なる座部と、挿入孔の座部に対向する側に位置して挿入孔から立ち上がる支持壁とを有し、座部が連なる挿入孔の支持壁との間隔を調整する方向へスライド可能であり、支持壁に向いた前方に保持部を有するとともに、後方に座部の壁面と平行で壁面に向けて下り勾配の傾斜面を有する保持部材が配置され、座部に配置された保持部材の傾斜面上に配置したロッド部材を下方へ押圧するボルトおよびワッシャが座部の壁面外方における台座に設けられ、ボルトを下方へねじ込むことでワッシャがロッド部材を下方へ押圧して座部の壁面に沿って下降し、それによって保持部材が前方へ押し出されて保持部と支持壁とでそれら光ファイバフェルールを保持する光ファイバフェルール研磨用ホルダーが開示されている（特許文献１参照）。特許文献１に開示の光ファイバフェルール研磨用ホルダーは、保持部と支持壁とで各光ファイバフェルールを保持した状態で、光ファイバフェルール研磨機に取り付けられ、光ファイバフェルールの研磨に利用される。
【先行技術文献】
【特許文献】
【０００３】
【特許文献１】特開２００４−１８１６０８号公報
【発明の概要】
【発明が解決しようとする課題】
【０００４】
光ファイバフェルール研磨用ホルダーを光ファイバフェルール研磨機（図１５参照）に装着する一例としては研磨用ホルダー装着治具が利用される。研磨用ホルダー装着治具は、光ファイバフェルール研磨用ホルダーのホルダープレートに設置される取付プレートと、取付プレートから縦方向へ延びる挿入パイプと、挿入パイプの周壁を径方向へ貫通する螺着孔と、螺着孔に螺着される固定ネジとを有する。
【０００５】
研磨用ホルダー装着治具を利用して光ファイバフェルール研磨用ホルダーを光ファイバフェルール研磨機に取り付けるには、挿入パイプの挿入空間に光ファイバフェルール研磨機の装着軸を挿入した後、挿入パイプの周壁に形成された螺着孔に固定ネジを螺着する。固定ネジを時計回り方向へ回転させると、固定ネジが挿入パイプの螺着孔を径方向内方へ移動しつつ、固定ネジの先端部が挿入パイプの内周面から挿入空間に露出し、固定ネジの先端部が光ファイバフェルール研磨機の装着軸の中央凹部に向かって露出することで、挿入パイプが装着軸に取り付けられ、それによって光ファイバフェルール研磨用ホルダーが光ファイバフェルール研磨機に装着される。
【０００６】
光ファイバフェルール研磨機から光ファイバフェルール研磨用ホルダーを取り外すには、固定ネジを反時計回り方向へ回転させる。固定ネジを反時計回り方向へ回転させると、固定ネジが挿入パイプの螺着孔を径方向外方へ移動し、固定ネジの先端部が挿入パイプの内周面から移動（後退）し、固定ネジの先端部が光ファイバフェルール研磨機の装着軸の中央凹部から退出し、その状態で挿入パイプの挿入空間から光ファイバフェルール研磨機の装着軸を抜き取る。
【０００７】
固定ネジを時計回り方向へ回転させることで、光ファイバフェルール研磨用ホルダーを光ファイバフェルール研磨機に装着することができ、固定ネジを反時計回り方向へ回転させることで、光ファイバフェルール研磨機から光ファイバフェルール研磨用ホルダーを取り外すことができるが、光ファイバフェルール研磨機に対する光ファイバフェルール研磨用ホルダーの取り付けと取り外しに固定ネジの回転作業が必要になり、光ファイバフェルール研磨機に対する光ファイバフェルール研磨用ホルダーの取り付けと取り外しとに手間と時間とを要し、光ファイバフェルール研磨用ホルダーを光ファイバフェルール研磨機に迅速かつ容易に取り付けることができず、光ファイバフェルール研磨用ホルダーを光ファイバフェルール研磨機から迅速かつ容易に取り外すことができない。
【０００８】
本発明の目的は、光ファイバフェルール研磨機に対する光ファイバフェルール研磨用ホルダーの取り付けと取り外しとに手間と時間とを要せず、光ファイバフェルール研磨用ホルダーを光ファイバフェルール研磨機に迅速かつ容易に取り付けることができ、光ファイバフェルール研磨用ホルダーを光ファイバフェルール研磨機から迅速かつ容易に取り外すことができる研磨用ホルダー装着治具を提供することにある。本発明の他の目的は、光ファイバフェルール研磨機に対する取り付けと取り外しとに手間と時間とを要せず、光ファイバフェルール研磨機に迅速かつ容易に取り付けることができ、光ファイバフェルール研磨機から迅速かつ容易に取り外すことができる光ファイバフェルール研磨用ホルダーを提供することにある。
【課題を解決するための手段】
【０００９】
前記課題を解決するための本発明の第１の前提は、光ファイバフェルールの研磨に使用される光ファイバフェルール研磨用ホルダーを光ファイバフェルール研磨機に着脱可能に取り付ける研磨用ホルダー装着治具である。
【００１０】
前記第１の前提における本発明の研磨用ホルダー装着治具の特徴は、
研磨用ホルダー装着治具が、光ファイバフェルール研磨用ホルダーのホルダープレートに取り付けられる取付プレートと、前記取付プレートから縦方向へ延びていて前記光ファイバフェルール研磨機の装着軸を挿脱可能に挿入する挿入空間を有する挿入パイプと、前記挿入パイプの周壁を径方向へ貫通する貫通孔に挿入されて該挿入パイプから径方向外方へ延びる操作ロッドと、前記操作ロッドを前記挿入パイプの径方向内方へ付勢するコイルバネとから形成され、操作ロッドが、コイルバネの付勢力によって前記挿入パイプの内周面から挿入空間に露出する露出端部と、前記露出端部につながって該露出端部から径方向外方へ延出し、前記コイルバネの付勢力に抗して前記露出端部を前記挿入パイプの挿入空間から径方向外方へ移動させるハンドル軸とから形成されていることにある。
【００１１】
本発明の研磨用ホルダー装着治具の一例としては、光ファイバフェルール研磨機の装着軸が、その先端から軸方向後方へ向かって上り勾配に傾斜する先端斜面と、先端斜面から軸方向後方へ離間して軸方向へ延びていて装着軸の径方向内方へ凹む中央凹部とを備え、研磨用ホルダー装着治具は、光ファイバフェルール研磨機の装着軸を挿入パイプの挿入空間に挿入すると、コイルバネの付勢力に抗して露出端部が先端斜面に沿って径方向外方へ次第に移動し、露出端部が装着軸の外周面を摺動しつつ中央凹部に達すると、コイルバネの付勢力によって露出端部が中央凹部に向かって径方向内方へ進出しつつ露出端部が中央凹部に露出し、装着軸に装着され、コイルバネの付勢力に抗してハンドル軸を径方向外方へ移動させ、露出端部を挿入パイプの挿入空間から径方向外方へ移動させることで露出端部が中央凹部から退出し、装着軸からの抜き取りが可能になる。
【００１２】
本発明の研磨用ホルダー装着治具の他の一例としては、研磨用ホルダー装着治具が、挿入パイプの外周面に設置された収納ケースを含み、収納ケースが、挿入パイプの径方向へ延びていて操作ロッドのハンドル軸の前端部分とコイルバネとを収容する収容空間と、収容空間を囲繞する周壁と、ハンドル軸の前端部分を挿通する挿通孔が穿孔された後端壁と、操作ロッドの露出端部を挿通する挿通孔が穿孔された前端壁とを有し、コイルバネが、ハンドル軸の前端部分に挿通された状態で収容空間に収容されている。
【００１３】
本発明の研磨用ホルダー装着治具の他の一例としては、操作ロッドの径方向外方へ延びる当接フランジが、ハンドル軸の前端部分に形成され、当接フランジの前端面が、挿入パイプの周壁に当接し、コイルバネの前端部が、当接フランジに当接しているとともに、コイルバネの後端部が、収納ケースの後端壁に当接している。
【００１４】
本発明の研磨用ホルダー装着治具の他の一例としては、研磨用ホルダー装着治具の取付プレートがホルダープレートの中央部に着脱可能に取り付けられる。
【００１５】
本発明の研磨用ホルダー装着治具の他の一例としては、複数の光ファイバフェルールを光ファイバフェルール研磨用ホルダーに着脱可能に設置する複数の設置手段が、ホルダープレートの周縁部に形成され、研磨用ホルダー装着治具は、取付プレートをホルダープレートに取り付けたときに、ハンドル軸の後端部分がそれら設置手段の間を通ってホルダープレートの周縁部から径方向外方に延出する。
【００１６】
本発明の研磨用ホルダー装着治具の他の一例としては、光ファイバフェルール研磨機の装着軸を挿入パイプの挿入空間に挿入するときに、装着軸に対する挿入パイプの挿入位置を決める位置決め凹部または位置決め凸部が、挿入パイプの頂部に形成されている。
【００１７】
前記課題を解決するための本発明の第２の前提は、光ファイバフェルールの研磨に使用される光ファイバフェルール研磨用ホルダーである。
【００１８】
前記第２の前提における本発明の光ファイバフェルール研磨用ホルダーの特徴は、光ファイバフェルール研磨用ホルダーが、所定面積のホルダープレートと、ホルダープレートの周縁部に形成されて複数の光ファイバフェルールを着脱可能に設置する複数の設置手段と、光ファイバフェルール研磨用ホルダーを光ファイバフェルール研磨機に着脱可能に取り付ける研磨用ホルダー装着治具とを有し、研磨用ホルダー装着治具が、光ファイバフェルール研磨用ホルダーのホルダープレートに設置された取付プレートと、取付プレートから縦方向へ延びていて光ファイバフェルール研磨機の装着軸を挿脱可能に挿入する挿入空間を有する挿入パイプと、挿入パイプの周壁を径方向へ貫通する貫通孔に挿入されて挿入パイプから径方向外方へ延びる操作ロッドと、操作ロッドを挿入パイプの径方向内方へ付勢するコイルバネとから形成され、操作ロッドが、コイルバネの付勢力によって挿入パイプの内周面から挿入空間に露出する露出端部と、露出端部につながって露出端部から径方向外方へ延出し、コイルバネの付勢力に抗して露出端部を挿入パイプの挿入空間から径方向外方へ移動させるハンドル軸とから形成されていることにある。
【００１９】
本発明の光ファイバフェルール研磨用ホルダーの一例としては、光ファイバフェルール研磨機の装着軸が、その先端から軸方向後方へ向かって上り勾配に傾斜する先端斜面と、先端斜面から軸方向後方へ離間した位置に軸方向へ延びていて装着軸の径方向内方へ凹む中央凹部とを備え、光ファイバフェルール研磨用ホルダーは、光ファイバフェルール研磨機の装着軸を研磨用ホルダー装着治具の挿入パイプの挿入空間に挿入すると、コイルバネの付勢力に抗して露出端部が先端斜面に沿って径方向外方へ次第に移動し、露出端部が装着軸の外周面を摺動しつつ中央凹部に達すると、コイルバネの付勢力によって露出端部が中央凹部に向かって径方向内方へ進出しつつ露出端部が中央凹部を露出し、研磨用ホルダー装着治具が装着軸に装着され、コイルバネの付勢力に抗してハンドル軸を径方向外方へ移動させ、露出端部を挿入パイプの挿入空間から径方向外方へ移動させることで露出端部が中央凹部から退出し、装着軸からの研磨用ホルダー装着治具の抜き取りが可能になる。
【００２０】
本発明の光ファイバフェルール研磨用ホルダーの他の一例としては、複数の光ファイバフェルールを着脱可能に設置する複数の設置手段がホルダープレートの周縁部に形成され、研磨用ホルダー装着治具の取付プレートが、ホルダープレートの中央部に取り付けられ、ハンドル軸の後端部分が、それら設置手段の間を通ってホルダープレートの周縁部から径方向外方に延出している。
【発明の効果】
【００２１】
本発明に係る研磨用ホルダー装着治具によれば、コイルバネの付勢力によって挿入パイプの内周面から挿入空間に露出する操作ロッドの露出端部が光ファイバフェルール研磨機の装着軸に向かって露出することで、研磨用ホルダー装着治具が装着軸に装着されるから、研磨用ホルダー装着治具を利用することで光ファイバフェルール研磨用ホルダーを光ファイバフェルール研磨機に迅速かつ容易に取り付けることができる。研磨用ホルダー装着治具は、コイルバネの付勢力に抗して操作ロッドを径方向外方に移動させ、操作ロッドの露出端部を挿入パイプの挿入空間から径方向外方へ移動（後退）させることで、露出端部が光ファイバフェルール研磨機の装着軸から退出するから、研磨用ホルダー装着治具を利用することで光ファイバフェルール研磨用ホルダーを光ファイバフェルール研磨機から迅速かつ容易に取り外すことができる。
【００２２】
光ファイバフェルール研磨機の装着軸がその先端から軸方向後方へ向かって上り勾配に傾斜する先端斜面と先端斜面から軸方向後方へ離間して軸方向へ延びていて装着軸の径方向内方へ凹む中央凹部とを備え、光ファイバフェルール研磨機の装着軸を挿入パイプの挿入空間に挿入すると、コイルバネの付勢力に抗して露出端部が先端斜面に沿って径方向外方へ次第に移動し、露出端部が装着軸の外周面を摺動しつつ中央凹部に達すると、コイルバネの付勢力によって露出端部が中央凹部に向かって径方向内方へ進出しつつ露出端部が中央凹部に露出し、研磨用ホルダー装着治具が装着軸に装着され、コイルバネの付勢力に抗してハンドル軸を径方向外方へ移動させ、露出端部を挿入パイプの挿入空間から径方向外方へ移動させることで露出端部が中央凹部から退出し、研磨用ホルダー装着治具の装着軸からの抜き取りが可能になる研磨用ホルダー装着治具は、操作ロッドの露出端部が装着軸の中央凹部に達すると、コイルバネの付勢力によって露出端部が中央凹部に向かって径方向内方へ進出しつつ露出端部が中央凹部に露出し、露出端部が中央凹部に係入するから、挿入パイプの挿入空間に光ファイバフェルール研磨機の装着軸を挿入するだけで、研磨用ホルダー装着治具を装着軸に取り付けることができ、研磨用ホルダー装着治具を利用することで、手間と時間とを要せずに光ファイバフェルール研磨用ホルダーを光ファイバフェルール研磨機に迅速かつ容易に取り付けることができる。研磨用ホルダー装着治具は、コイルバネの付勢力に抗して操作ロッドを径方向外方に移動させ、操作ロッドの露出端部を挿入パイプの挿入空間から径方向外方へ移動させることで露出端部が中央凹部から退出し、中央凹部に対する露出端部の係入が解除されるから、コイルバネの付勢力に抗して露出端部を挿入パイプの挿入空間から径方向外方へ移動させるだけで、装着軸からの研磨用ホルダー装着治具の抜き取りを可能にすることができ、研磨用ホルダー装着治具を利用することで、手間と時間とを要せずに光ファイバフェルール研磨用ホルダーを光ファイバフェルール研磨機から迅速かつ容易に取り外すことができる。
【００２３】
挿入パイプの外周面に設置された収納ケースを含み、前記収納ケースが操作ロッドのハンドル軸の前端部分とコイルバネとを収容する収容空間を有し、コイルバネがハンドル軸の前端部分に挿通された状態で収容空間に収容されている研磨用ホルダー装着治具は、操作ロッドの露出端部が装着軸の中央凹部に達すると、収納ケースに収容されたコイルバネの付勢力によって露出端部が中央凹部に向かって径方向内方へ進出しつつ露出端部が中央凹部に露出し、露出端部が中央凹部に係入するから、挿入パイプの挿入空間に光ファイバフェルール研磨機の装着軸を挿入するだけで、研磨用ホルダー装着治具を装着軸に装着することができ、研磨用ホルダー装着治具を利用することで、手間と時間とを要せずに光ファイバフェルール研磨用ホルダーを光ファイバフェルール研磨機に迅速かつ容易に取り付けることができる。研磨用ホルダー装着治具は、収納ケースに収容されたコイルバネの付勢力に抗して操作ロッドを径方向外方に移動させ、操作ロッドの露出端部を挿入パイプの挿入空間から径方向外方へ移動させることで露出端部が中央凹部から退出し、中央凹部に対する露出端部の係入が解除されるから、コイルバネの付勢力に抗して露出端部を挿入パイプの挿入空間から径方向外方へ移動させるだけで、装着軸からの研磨用ホルダー装着治具の抜き取りを可能にすることができ、研磨用ホルダー装着治具を利用することで、手間と時間とを要せずに光ファイバフェルール研磨用ホルダーを光ファイバフェルール研磨機から迅速かつ容易に取り外すことができる。
【００２４】
操作ロッドの径方向外方へ延びる当接フランジがハンドル軸の前端部分に形成され、当接フランジの前端面が挿入パイプの周壁に当接し、コイルバネの前端部が当接フランジに当接しているとともに、コイルバネの後端部が収納ケースの後端壁に当接している研磨用ホルダー装着治具は、当接フランジの前端面が挿入パイプの周壁に当接し、コイルバネの前端部が当接フランジに当接するとともに、コイルバネの後端部が収納ケースの後端壁に当接することで、コイルバネの付勢力が操作ロッドに確実に作用し、コイルバネの付勢力によって操作ロッドの露出端部が装着軸の中央凹部に向かって径方向内方へ進出しつつ露出端部が中央凹部に露出し、露出端部が中央凹部に係入するから、挿入パイプの挿入空間に光ファイバフェルール研磨機の装着軸を挿入するだけで、研磨用ホルダー装着治具を装着軸に装着することができ、研磨用ホルダー装着治具を利用することで、手間と時間とを要せずに光ファイバフェルール研磨用ホルダーを光ファイバフェルール研磨機に迅速かつ容易に取り付けることができる。
【００２５】
研磨用ホルダー装着治具の取付プレートがホルダープレートの中央部に着脱可能に取り付けられる研磨用ホルダー装着治具は、たとえば、複数の光ファイバフェルールがホルダープレートの周縁部に設置された場合、取付プレートを介してホルダープレートの中央部に取り付けられた研磨用ホルダー装着治具を利用することで、光ファイバフェルール研磨機によってそれら光ファイバフェルールを均等に研磨することができる。
【００２６】
複数の光ファイバフェルールを光ファイバフェルール研磨用ホルダーに着脱可能に設置する複数の設置手段がホルダープレートの周縁部に形成され、取付プレートをホルダープレートに取り付けたときに、ハンドル軸の後端部分がそれら設置手段の間を通ってホルダープレートの周縁部から径方向外方に延出する研磨用ホルダー装着治具は、ホルダープレートの周縁部に並ぶそれら設置手段を介して複数の光ファイバフェルールがホルダープレートの周縁部に設置された場合、取付プレートを介してホルダープレートの中央部に取り付けられた研磨用ホルダー装着治具を利用することで、光ファイバフェルール研磨機によってそれら光ファイバフェルールを均等に研磨することができる。研磨用ホルダー装着治具は、取付プレートをホルダープレートに取り付けたときに、ハンドル軸の後端部分がそれら設置手段の間を通ってホルダープレートの周縁部から径方向外方に延出するから、ハンドル軸の後端部分が設置手段を妨害することはなく、設置手段によって複数の光ファイバフェルールをホルダープレートの周縁部に設置することができるとともに、ホルダープレートの周縁部から径方向外方に延出するハンドル軸の後端部分を径方向外方へ移動させることで、露出端部が装着軸の中央凹部から退出するから、中央凹部に対する露出端部の係入を容易に解除することができる。
【００２７】
光ファイバフェルール研磨機の装着軸を挿入パイプの挿入空間に挿入するときに、装着軸に対する挿入パイプの挿入位置を決める位置決め凹部または位置決め凸部が挿入パイプの頂部に形成されている研磨用ホルダー装着治具は、位置決め凹部や位置決め凸部によって装着軸に対する挿入パイプの挿入位置が一定するから、研磨用ホルダー装着治具を光ファイバフェルール研磨機の装着軸に装着位置に正確に装着することができ、操作ロッドの露出端部を装着軸に中央凹部に正確に位置させることができる。
【００２８】
本発明に係る光ファイバフェルール研磨用ホルダーによれば、コイルバネの付勢力によって挿入パイプの内周面から挿入空間に露出する操作ロッドの露出端部が光ファイバフェルール研磨機の装着軸に向かって露出することで、研磨用ホルダー装着治具が装着軸に装着されるから、光ファイバフェルール研磨用ホルダーを光ファイバフェルール研磨機に迅速かつ容易に取り付けることができる。光ファイバフェルール研磨用ホルダーは、コイルバネの付勢力に抗して操作ロッドを径方向外方に移動させ、操作ロッドの露出端部を挿入パイプの挿入空間から径方向外方へ移動（後退）させることで、露出端部が光ファイバフェルール研磨機の装着軸から退出するから、光ファイバフェルール研磨用ホルダーを光ファイバフェルール研磨機から迅速かつ容易に取り外すことができる。
【００２９】
光ファイバフェルール研磨機の装着軸がその先端から軸方向後方へ向かって上り勾配に傾斜する先端斜面と先端斜面から軸方向後方へ離間した位置に軸方向へ延びていて装着軸の径方向内方へ凹む中央凹部とを備え、光ファイバフェルール研磨機の装着軸を研磨用ホルダー装着治具の挿入パイプの挿入空間に挿入すると、コイルバネの付勢力に抗して露出端部が先端斜面に沿って径方向外方へ次第に移動し、露出端部が装着軸の外周面を摺動しつつ中央凹部に達すると、コイルバネの付勢力によって露出端部が中央凹部に向かって径方向内方へ進出しつつ露出端部が中央凹部を露出し、研磨用ホルダー装着治具が装着軸に装着され、コイルバネの付勢力に抗してハンドル軸を径方向外方へ移動させ、露出端部を挿入パイプの挿入空間から径方向外方へ移動させることで露出端部が中央凹部から退出し、装着軸からの研磨用ホルダー装着治具の抜き取りが可能になる光ファイバフェルール研磨用ホルダーは、操作ロッドの露出端部が装着軸の中央凹部に達すると、コイルバネの付勢力によって露出端部が中央凹部に向かって径方向内方へ進出しつつ露出端部が中央凹部に露出し、露出端部が中央凹部に係入するから、研磨用ホルダー装着治具の挿入パイプの挿入空間に光ファイバフェルール研磨機の装着軸を挿入するだけで、研磨用ホルダー装着治具を装着軸に取り付けることができ、手間と時間とを要せずに光ファイバフェルール研磨用ホルダーを光ファイバフェルール研磨機に迅速かつ容易に取り付けることができる。光ファイバフェルール研磨用ホルダーは、コイルバネの付勢力に抗して操作ロッドを径方向外方に移動させ、操作ロッドの露出端部を挿入パイプの挿入空間から径方向外方へ移動させることで露出端部が中央凹部から退出し、中央凹部に対する露出端部の係入が解除されるから、コイルバネの付勢力に抗して露出端部を挿入パイプの挿入空間から径方向外方へ移動させるだけで、装着軸からの研磨用ホルダー装着治具の抜き取りを可能にすることができ、手間と時間とを要せずに光ファイバフェルール研磨用ホルダーを光ファイバフェルール研磨機から迅速かつ容易に取り外すことができる。
【００３０】
複数の光ファイバフェルールを着脱可能に設置する複数の設置手段がホルダープレートの周縁部に形成され、研磨用ホルダー装着治具の取付プレートがホルダープレートの中央部に取り付けられ、ハンドル軸の後端部分がそれら設置手段の間を通ってホルダープレートの周縁部から径方向外方に延出している光ファイバフェルール研磨用ホルダーは、ホルダープレートの周縁部に並ぶそれら設置手段を介して複数の光ファイバフェルールがホルダープレートの周縁部に設置された場合、取付プレートを介してホルダープレートの中央部に取り付けられた研磨用ホルダー装着治具を利用することで、光ファイバフェルール研磨機によってそれら光ファイバフェルールを均等に研磨することができる。光ファイバフェルール研磨用ホルダーは、研磨用ホルダー装着治具の取付プレートをホルダープレートに取り付けたときに、ハンドル軸の後端部分がそれら設置手段の間を通ってホルダープレートの周縁部から径方向外方に延出するから、ハンドル軸の後端部分が設置手段を妨害することはなく、設置手段によって複数の光ファイバフェルールをホルダープレートの周縁部に設置することができるとともに、ホルダープレートの周縁部から径方向外方に延出するハンドル軸の後端部分を径方向外方へ移動させることで、露出端部が装着軸の中央凹部から退出するから、中央凹部に対する露出端部の係入を容易に解除することができる。
【図面の簡単な説明】
【００３１】
【図１】一例として示す研磨用ホルダー装着治具の斜視図。
【図２】研磨用ホルダー装着治具の上面図。
【図３】図１のＡ−Ａ線矢視断面図。
【図４】操作ロッドのハンドル軸を径方向外方へ移動させたときの図３と同一の断面図。
【図５】一例として示す光ファイバフェルール研磨用ホルダーの上面図。
【図６】一例として示すホルダープレートの上面図。
【図７】トーラス材を部分的に示す部分拡大斜視図。
【図８】一例として示す固定駒の斜視図。
【図９】旋回ロッドが傾斜状態に旋回したときの光ファイバフェルール研磨用ホルダーの部分拡大正面図。
【図１０】図９のＢ−Ｂ線矢視断面図。
【図１１】光ファイバフェルールをフェルール挿入孔に挿入する以前の状態で示す図１０と同一の断面図。
【図１２】旋回ロッドを旋回途中の状態で示す断面図。
【図１３】旋回ロッドが起立状態に旋回したときの光ファイバフェルール研磨用ホルダーの部分拡大正面図。
【図１４】図１３のＣ−Ｃ線矢視断面図。
【図１５】光ファイバフェルール研磨用ホルダーを光ファイバフェルール研磨機に取り付けた状態の側面図。
【図１６】図１５のＤ−Ｄ線矢視断面図。
【図１７】研磨加工中の光ファイバフェルール研磨機の斜視図。
【発明を実施するための形態】
【００３２】
一例として示す研磨用ホルダー装着治具１０の斜視図である図１等の添付の図面を参照し、本発明に係る研磨用ホルダー装着治具および本発明に係る光ファイバフェルール研磨用ホルダーの詳細を説明すると、以下のとおりである。なお、図２は、研磨用ホルダー装着治具１０の上面図であり、図３は、図１のＡ−Ａ線矢視断面図である。図４は、操作ロッド１４のハンドル軸３７を径方向外方へ移動させたときの図３と同一の断面図である。図１では、径方向を矢印Ｌで示し、縦方向を矢印Ｎで示す。
【００３３】
研磨用ホルダー装着治具１０は、光ファイバフェルール１０１の研磨に使用される光ファイバフェルール研磨用ホルダー５０（図５参照）に着脱可能に取り付けられ、光ファイバフェルール研磨機１０３（図１５参照）への光ファイバフェルール研磨用ホルダー５０の取り付けに利用される。研磨用ホルダー装着治具１０は、取付プレート１１、挿入パイプ１２、収納ケース１３、操作ロッド１４、コイルバネ１５から形成されている。
【００３４】
取付プレート１１は、アルミや合金鋼、鉄鋼等の金属または合成樹脂から作られ、所定厚みを有する円環状（ドーナツ型）に成形されている。取付プレート１１には、固定ネジ１６（六角穴付きボルト等）を挿通または螺着するネジ孔１７が穿孔されている。取付プレート１１は、光ファイバフェルール研磨用ホルダー５０の後記するホルダープレート５１に着脱可能に取り付けられる。なお、取付プレート１１がホルダープレート５１と一体に成形され、取付プレート１１がホルダープレート５１に一連につながっていてもよい。
【００３５】
挿入パイプ１２は、アルミや合金鋼、鉄鋼等の金属または合成樹脂から作られ、取付プレート１１と一体に成形されて取付プレート１１に一連につながっている。挿入パイプ１２は、取付プレート１１から縦方向へ直状に延びている。挿入パイプ１２は、取付プレート１１につながる底部１８と、底部１８の反対側に位置する頂部２０と、底部１８および頂部２０の間に延びる中央部１９とを有し、底部１８から頂部２０に向かって延びる円筒状の挿入空間２１を有する。挿入空間２１には、光ファイバフェルール研磨機１０３の後記する装着軸１０４が挿脱可能に挿入される。
【００３６】
挿入パイプ１２の頂部２０には、頂部２０から中央部１９に向かって縦方向へ凹む２つの位置決め凹部２２が形成されている。なお、頂部２０から上方へ向かって凸となる２つの位置決め凸部が挿入パイプ１２の頂部２０に形成されていてもよい。位置決め凹部２２や位置決め凸部は、光ファイバフェルール研磨機１０３の装着軸１０４を挿入パイプ１２の挿入空間２１に挿入するときに、装着軸１０４に対する挿入パイプ１２の挿入位置を決め、挿入パイプ１２を装着軸１０４の所定の位置に装着する。
【００３７】
挿入パイプ１２の中央部１９には、径方向内方へ凹む設置凹部２３が形成されている。設置凹部２３には、挿入パイプ１２の外周面２４と内周面２５との間に延びていて挿入パイプ１２の周壁２６を径方向へ貫通する貫通孔２７が穿孔されているとともに、固定ネジ１６を螺着するネジ孔２８が穿孔されている。
【００３８】
収納ケース１３は、アルミや合金鋼、鉄鋼等の金属または合成樹脂から作られ、挿入パイプ１２の中央部１９の外周面２４に形成された設置凹部２３に着脱可能に設置されている。収納ケース１３は、挿入パイプ１２の径方向へ延びる収容空間２９と、収容空間２９を囲繞する周壁３０（両側壁および両端壁）と、縦方向へ長い後端壁３１と、設置凹部２３に当接する縦方向へ長い前端壁３２とを有する。収容空間２９には、操作ロッド１４の後記するハンドル軸３７の前端部分３８（当接フランジ３９）とコイルバネ１５とが収容される。後端壁３１には、ハンドル軸３７を挿通する挿通孔３３が穿孔され、前端壁３２には、操作ロッド１４の後記する露出端部３６を挿通する挿通孔３４が穿孔されている。
【００３９】
収納ケース１３には、固定ネジ１６（六角穴付きボルト等）を挿通または螺着するネジ孔３５が穿孔されている。ネジ孔３５は、後端壁３１から前端壁３２に向かって径方向へ延びている。収納ケース１３は、その前端壁３２が挿入パイプ１２の設置凹部２３に嵌め込まれ、そのネジ孔３５に固定ネジ１６が挿通または螺着されるとともに、挿入パイプ１２の周壁２６のネジ孔２８に固定ネジ１６が螺着されることで、挿入パイプ１２の中央部１９の周壁２６（設置凹部２３）に固定されている。
【００４０】
操作ロッド１４は、アルミや合金鋼、鉄鋼等の金属または合成樹脂から作られ、径方向へ長い棒状に成形されている。操作ロッド１４は、挿入パイプ１２の貫通孔３３に挿入されて挿入パイプ１２から径方向外方へ直状に延びている。操作ロッド１４は、挿入パイプ１２の内周面２５から挿入空間２１に露出する露出端部３６と、露出端部３６につながって露出端部３６から径方向外方へ延びるハンドル軸３７とから形成されている。
【００４１】
露出端部３６は、収納ケース１３の前端壁３２の挿通孔３４に挿通されているとともに、挿入パイプ１２の貫通孔２７に摺動可能に挿通されている。露出端部３６は、径方向内方と径方向外方とへ進退可能であり、径方向内方へ進出することで、挿入パイプ１２の内周面２５から挿入空間２１に露出し、径方向外方へ移動（後退）することで、挿入空間２１から挿入パイプ１２の貫通孔２７と設置凹部２３とに移動する。
【００４２】
ハンドル軸３７は、その前端部分３８が収納ケース１３の収容空間２９に収容されて径方向へ延びている。ハンドル軸３７の前端部分３８は、収納ケース１３の後端壁３１に穿孔された挿通孔３３に摺動可能に挿通されている。ハンドル軸３７の前端部分３８には、操作ロッド１４の径方向外方へ延びる当接フランジ３９が形成されている。ハンドル軸３７の後端部分４０には、摘持可能な摘み４１が取り付けられている。
【００４３】
コイルバネ１５（圧縮コイルバネ）は、ハンドル軸３７の前端部分３８に挿通された状態で収納ケース１３の収容空間２９と挿入パイプ１２の設置凹部２３とに収容されている。コイルバネ１５は、操作ロッド１４（露出端部３６）を挿入パイプ１２の径方向内方へ付勢する。コイルバネ１５は、その前端部４２が当接フランジ３９に当接し、その後端部４３が収納ケース１３の後端壁３１に当接している。コイルバネ１５の付勢力によって、当接フランジ３９の前端面が挿入パイプ１２の設置凹部２３の外周面２４に当接（密着）し、操作ロッド１４の露出端部３６が挿入パイプ１２の内周面２５から挿入空間２１に露出している。
【００４４】
ハンドル軸３７の摘み４１を摘持し、コイルバネ１５の付勢力に抗してハンドル軸３７を径方向外方へ移動させると（引っ張ると）、ハンドル軸３７の前端部分３８（当接フランジ３９）が収納ケース１３の収容空間２９において径方向後方へ移動し、操作ロッド１４の露出端部３６が挿入パイプ１２の挿入空間２１から径方向外方へ移動（後退）し、露出端部３６が挿入パイプ１２の貫通孔２７と設置凹部２３とに移動して収容空間２９から退出する。
【００４５】
ハンドル軸３７を径方向外方へ引っ張る力を解除すると、コイルバネ１５の付勢力によって、ハンドル軸３７の前端部分３８（当接フランジ３９）が収納ケース１３の収容空間２９において径方向前方へ移動し、操作ロッド１４の露出端部３６が挿入パイプ１２の内周面２５から挿入空間２１に露出し、その状態が保持される。
【００４６】
図５は、一例として示す光ファイバフェルール研磨用ホルダー５０の上面図であり、図６は、一例として示すホルダープレート５１の上面図である。図７は、トーラス材６１を部分的に示す部分拡大斜視図であり、図８は、一例として示す固定駒６３の斜視図である。図９は、旋回ロッド６２が傾斜状態に旋回したときの光ファイバフェルール研磨用ホルダー５０の部分拡大正面図であり、図１０は、図９のＢ−Ｂ線矢視断面図である。図１１は、光ファイバフェルールをホルダープレート５１のフェルール挿入孔５９に挿入する以前の状態で示す図１０と同一の断面図である。図５では、径方向内方を矢印Ｌ１、径方向外方を矢印Ｌ２、周り方向を矢印Ｍで示し、図９では、上下方向を矢印Ｎで示す。
【００４７】
光ファイバフェルール研磨用ホルダー５０は、光ファイバフェルール研磨機１０３に着脱可能に設置され、光ファイバフェルール研磨機１０３によるそれら光ファイバ１０１の光ファイバフェルール１０１ａの研磨に使用される。光ファイバフェルール研磨用ホルダー５０は、所定面積および所定の厚さを有するホルダープレート５１（台座）と、ホルダープレート５１の周縁部５２に形成されて複数の光ファイバフェルール１０１ａを着脱可能に設置する複数の設置手段５３と、光ファイバフェルール研磨用ホルダー５０を光ファイバフェルール研磨機１０３に着脱可能に装着する研磨用ホルダー装着治具１０とから形成されている。
【００４８】
ホルダープレート５１は、アルミや合金鋼、鉄鋼等の金属または合成樹脂から作られ、円形の平板状（円盤状）に成形されている。ホルダープレート５１の中央部５４には、固定ネジ１６（六角穴付きボルト等）を螺着する螺着孔５５が穿孔されている。ホルダープレート５１の中央部５４には、研磨用ホルダー装着治具１０の取付プレート１１のネジ孔１７と螺着孔５５とに螺着された固定ネジ１６によって研磨用ホルダー装着治具１０が取り付けられている。なお、固定ネジ１６を螺着孔５５から取り外すことで、研磨用ホルダー装着治具１０をホルダープレート５１から取り外すことができる。なお、光ファイバフェルール研磨機１０３の研磨盤１１１（図１５参照）が円盤状のため、ホルダープレート５１を円形の平板状（円盤状）に成形することで、同一円周状での研磨が可能になり、複数の光ファイバフェルールの研磨結果にバラツキが少なくなり、光ファイバフェルールの設置数も多くすることができる。ただし、ホルダープレート５１の平面形状が円形ではなく、他のあらゆる形状に成形されていてもよい。
【００４９】
ホルダープレート５１の周縁部５２には、ホルダープレート５１の上下面５６，５７を上下方向へ貫通する複数の設置孔部５８（設置部）と、ホルダープレート５１の上下面５６，５７を上下方向へ貫通する複数のフェルール挿入孔５９とが形成されている。それら設置孔部５８とそれらフェルール挿入孔５９とは、ホルダープレート５１の周縁部５２において環状に並んでいる。ホルダープレート５１の周縁部５２には、固定ネジ１６（六角穴付きボルト等）を螺着する螺着孔６０が穿孔されている。
【００５０】
それら設置手段５３は、ホルダープレートの周縁部に形成されて環状に並んでいる。設置手段５３は、所定の厚さを有してホルダープレート５１の上方へ凸（隆起）となる平凸状のトーラス材６１（隆起部材）と、ホルダープレート５１に旋回可能に設置された複数の旋回ロッド６２と、ホルダープレート５１に旋回可能（移動可能）に設置された複数の固定駒６３と、ホルダープレート５１に設置された複数の板バネ６４（付勢手段）と、それら旋回ロッド６２に挿通された複数のスライドロック６５と、それら旋回ロッド６２に挿通されてロッド６２の軸方向へ延びる複数のコイルバネ６６とから形成されている。
【００５１】
トーラス材６１は、アルミや合金鋼、鉄鋼等の金属または合成樹脂から作られ、ホルダープレート５１の上面５６に位置し、環状に延びていて円環（リング）を形成している。トーラス材６１には、固定ネジ１６（六角穴付きボルト等）を挿通または螺着するネジ孔６７が穿孔されている。トーラス材６１は、ホルダープレート５１の螺着孔６０とトーラス材６１のネジ孔６７とに螺着された固定ネジ１６によってホルダープレート５１の周縁部５２に固定されている。なお、ホルダープレート５１の平面形状が円形以外の形状に成形されている場合、隆起部材（トーラス材６１）がホルダープレート５１の周縁部を囲繞する形状に成形される。
【００５２】
トーラス材６１は、図７に示すように、環状に並ぶ上方開口６８および環状に並ぶ起立支持部６９と、環状に並ぶ側方開口７０および環状に並ぶ傾斜支持部７１と、環状に並ぶ旋回開口７２および環状に並ぶ旋回部７３とを有する。トーラス材６１の起立支持部６９の下方には、一対の円筒状の軸孔９２が穿孔されている。軸孔９２には、旋回ロッド６２の後記する一対の軸８２が回転可能に設置される。
【００５３】
トーラス材６１のそれら上方開口６８は、円形に成形されて上方へ向かって開口している。上方開口６８には、起立した旋回ロッド６２が位置する。それら起立支持部６９は、上方開口６８を囲繞し、旋回ロッド６２の後記する中間部７９を支持してロッド６２を起立状態に支持する。それら起立支持部６９には、下方へ向かって凹むロック孔７４が形成されている。ロック孔７４は、その径が上方開口６８のそれよりもわずかに大きい。ロック孔７４には、旋回ロッド６２が起立したときにスライドロック６５の後記する下端部１００が進入する。
【００５４】
トーラス材６１のそれら側方開口７０は、円形に成形されて側方（径方向外方）へ向かって開口している。側方開口７０には、傾斜した旋回ロッド６２が位置する。それら傾斜支持部７１は、側方開口７０を囲繞し、旋回ロッド６２を傾斜状態に支持する。それら旋回開口７２は、上方開口６８と側方開口７０とにつながり、上方開口６８から側方開口７０に向かって弧を画くように傾斜している。旋回開口７２では、旋回ロッド６２が径方向内方と径方向外方とへ旋回する。それら旋回部７３は、旋回開口７２を囲繞し、起立支持部６９と傾斜支持部７１とにつながり、起立支持部６９から傾斜支持部７１に向かって弧を画くように傾斜している。
【００５５】
ホルダープレート５１のそれら設置孔部５８（それら設置部）は、ホルダープレート５１のフェルール挿入孔５９と旋回ロッド６２との間に形成され、トーラス材６１の起立支持部６９の径方向内方に隣接し、トーラス材６１の直近に位置している。それら設置孔部５８には、固定駒６３が旋回（移動）可能に設置されている。
【００５６】
それら設置孔部５８は、旋回ロッド６２の略直下に位置して上下方向へ延びる後壁７５と、後壁７５の両側に位置して上下方向へ延びる両側壁７６（両側面）と、後壁７５の側に位置する両側壁７６に形成された一対の軸孔７７とを有する。軸孔７７は、ホルダープレート５１の上下面５６，５７を上下方向へ貫通する貫通孔であり、両側壁７６から周り方向（水平方向）へ延びている。ホルダープレート５１のそれらフェルール挿入孔５９は、設置孔部５８の径方向内方に隣接し、設置孔部５８の直近に位置している。
【００５７】
それら旋回ロッド６２は、アルミや合金鋼、鉄鋼等の金属または合成樹脂から作られ、上下方向へ長い円柱状に成形されている。それら旋回ロッド６２は、トーラス材６１に沿って環状に並んでいる。旋回ロッド６２は、上端部７８および下端部８０と、上下端部７８，８０の間に位置する中間部７９とを有する。それら旋回ロッド６２は、ホルダープレート５１の設置孔部５８の径方向外方に隣接し、設置孔部５８やフェルール挿入孔５９の直近に位置してトーラス材６１の上方開口６８、旋回開口７２、側方開口７０に旋回可能に挿通されている。旋回ロッド６２の上端部７８には、ロッド６２を旋回させるときに摘持する摘み８１が取り付けられている。
【００５８】
それら旋回ロッド６２の下端部８０には、周り方向（横方向）へ延びる一対の円柱状の軸８２が形成されている。それら旋回ロッド６２の断面円形の下端８３には、固定駒６３に向かって凸となる押圧凸部８４が形成されているとともに、押圧凸部８４を除く残余面８５が画成されている。それら軸８２は、トーラス材６１の起立支持部６９の下方に穿孔された軸孔９２に回転可能に挿入されている。
【００５９】
それら旋回ロッド６２は、下端部８０（軸８２）を中心として傾斜状態から起立するようにトーラス材６１の旋回開口７２を径方向内方へ旋回可能であり、下端部８０（軸８２）を中心として起立状態から傾斜するようにトーラス材６１の旋回開口７２を径方向外方へ旋回可能である。旋回ロッド６２の押圧凸部８４は、固定駒６３の後記する頂部８８（傾斜面９５）に当接し、ロッド６２の径方向内方への旋回にともなって固定駒６３を径方向内方へ押圧する。
【００６０】
それら固定駒６３は、ホルダープレート５１のそれら設置孔部５８に旋回（移動）可能に設置（収容）され、トーラス材６１に沿って環状に並んでいる。固定駒６３は、図８示すように、ホルダープレート５１のフェルール挿入孔５９に対向する前部８６と、ホルダープレート５１の設置孔部５９の後壁７５に対向する後部８７と、旋回ロッド６２の下端８３に対向する頂部８８と、ホルダープレート５１の設置孔部５８の下方に位置する底部８９と、ホルダープレート５１の設置孔部５８の両側壁７６（両側面）に対向する両側部９０と、後部８７の側に位置する両側部９０から周り方向（横方向）へ延びる一対の回転軸９１（旋回軸）とを有する。それら回転軸９１は、ホルダープレート５１の設置孔部５８に形成された軸孔７７に配置されている。
【００６１】
それら固定駒６３の前部８６には、径方向外方（後方）へ向かって凹む嵌入部分９３（凹部分）が形成され、嵌入部分９３につながって底部８９に向かって湾曲する湾曲面９４が形成されている。なお、湾曲面９４の他に、嵌入部分９３につながって底部８９に向かうにつれて下り勾配に傾斜（後部に向かって傾斜）する傾斜面が固定駒６３の前部８６に形成されていてもよい。嵌入部分９３には、光ファイバフェルール１０１ａの頂部１０２が嵌入する。
【００６２】
それら固定駒６３の頂部８８は、前部８６から径方向外方（後方）へ向かうにつれて下方へ向かって下り勾配に傾斜する傾斜面９５を有する。傾斜面９５には、旋回ロッド６２の押圧凸部８４が当接する。それら固定駒６３の頂部８８の側に位置する両側部９０には、両側部９０から周り方向（横方向）へ延びる（張り出す）一対の当接部分９６が形成されている。
【００６３】
それら固定駒６３は、旋回ロッド６２の径方向内方への旋回にともなって設置孔部５８において回転軸９１を中心に径方向内方へ旋回（移動）し、光ファイバフェルール１０１ａをフェルール挿入孔５９に固定する。それら固定駒６３は、旋回ロッド６２の径方向外方への旋回にともなって設置孔部５８において回転軸９１を中心に径方向外方へ旋回（移動）し、フェルール挿入孔５９に対する光ファイバフェルール１０１ａの固定を解除する。
【００６４】
板バネ６４は、ホルダープレート５１の各設置孔部５８の径方向外方近傍に配置されている。板バネ６４は、ベース部９７と、ベース部９７につながる複数のバネ部９８とから形成されている。ベース部９７は、各設置孔部５８の径方向外方近傍に延びるホルダープレート５１の上面５６に位置し、トーラス材６１に沿って環状に延びていて円環（リング）を形成している。ベース部９７は、ホルダープレート５１の上面５６とトーラス材６１の傾斜支持部７１の下面との間に介在し、ホルダープレート５１とトーラス材６１の傾斜支持部７１とに挟まれた状態でホルダープレート５１の上面５６に固定されている。
【００６５】
それらバネ部９８は、互いに隣接する各設置孔部５８の間に延びるホルダープレート５１の上面５６に位置し、トーラス材６１に沿って環状に並んでいる。光ファイバフェルール研磨用ホルダー５０では、それら固定駒６３が各設置孔部５８に設置（収容）されたときに、互いに隣接する設置孔部５８の間に延びるホルダープレート５１の上面５６と固定駒６３の両側部９０の当接部分９６との間にそれらバネ部９８が介在し、固定駒６３の両側部９０の当接部分９６が板バネ６４のバネ部９８に当接する。それらバネ部９８は、フェルール挿入孔５９に対する光ファイバフェルール１０１ａの固定を解除するように各固定駒６３を上方であって径方向外方へ付勢し、その付勢力によって固定駒６３を径方向外方へ旋回（移動）させる。
【００６６】
それらスライドロック６５は、円筒状に成形され、旋回ロッド６２に挿通された状態でロッド６２の軸方向へスライドする。スライドロック６５は、それをスライドさせるときに摘持する円筒状の摘み部９９と、摘み部９９の直下に連なる円筒状の下端部１００とを有する。スライドロック６５の下端部１００は、その径が摘み部９９のそれよりも小さく、起立支持部６９のロック孔７４の径よりもわずかに小さいとともに、トーラス材６１の上方開口６８、側方開口７０、旋回開口７２の径よりもわずかに大きい。
【００６７】
それらスライドロック６５の摘み部９９は、トーラス材６１の上方開口６８、側方開口７０、旋回開口７２の径よりも大きい。コイルバネ６６は、旋回ロッド６２の上端部７８（摘み８１）とスライドロック６５の摘み部９９とに間に位置してロッド６２の軸方向へ延びている。コイルバネ６６は、その付勢力によってスライドロック６５を旋回ロッド６２の下端（下方）に向かって付勢する。
【００６８】
旋回ロッド６２が径方向外方へ旋回し、ロッド６２が傾斜した図１０の状態では、ロッド６２の押圧凸部８４による押圧力が固定駒６３の頂部８８の傾斜面９５に作用しておらず、固定駒６３が板バネ６４のバネ部９８の付勢力によって回転軸９１を中心に径方向外方へ旋回（移動）している。固定駒６３の前部８６および頂部８８が径方向外方へ旋回して前部８６および頂部８８がフェルール挿入孔５９から径方向外方へ離間し、ホルダープレート５１のフェルール挿入孔５９が開放されている。
【００６９】
旋回ロッド６２は、トーラス材６１の側方開口７０に位置し、トーラス材６１の傾斜支持部７１によって傾斜状態に支持されている。スライドロック６５がコイルバネ６６の付勢力に抗して旋回ロッド６２の上端部７８（摘み８１）に向かってスライドし、スライドロック６５の下端部１００が傾斜支持部７１に乗り上げている。傾斜支持部７１によって旋回ロッド６２が傾斜状態に支持された場合（旋回ロッド６２が傾斜状態に旋回した場合）、ロッド６２の下端８３の残余面８５が固定駒６３の頂部８８の傾斜面９５に当接する。
【００７０】
光ファイバフェルール研磨用ホルダー５０は、旋回ロッド６２が傾斜状態に旋回したときに、ロッド６２の下端８３のうちの押圧凸部８４が固定駒６３の頂部８８に当接し、押圧凸部８４を除く残余面８５が固定駒６３の傾斜面９５に当接するから、ロッド６２によって固定駒６３の径方向外方へのそれ以上の旋回（移動）を阻止することができ、固定駒６３の径方向外方への旋回範囲を規制することができる。
【００７１】
光ファイバフェルール研磨用ホルダー５０では、図１１に矢印Ｎ１で示すように、開放されたフェルール挿入孔５９に向かって光ファイバ１０１の光ファイバフェルール１０１ａを挿入し、図１０に示すように、フェルール挿入孔５９に光ファイバフェルール１０１ａを差し込む。光ファイバフェルール研磨用ホルダー５０は、スライドロック６５の下端部１００がコイルバネ６６の付勢力に抗して傾斜支持部７１に乗り上げ、下端部１００がコイルバネ６６の付勢力によって傾斜支持部７１に押し付けられ、トーラス材６１の傾斜支持部７１によって旋回ロッド６２が傾斜状態に支持されているから、ロッド６２が径方向内方へ不用意に旋回（移動）することはなく、フェルール挿入孔５９における固定駒６３の固定解除状態が維持されるとともに挿入孔５９の開放状態が維持され、フェルール挿入孔５９に光ファイバフェルール１０１ａを円滑に挿入することができる。
【００７２】
図１２は、旋回ロッド６２を旋回途中の状態で示す断面図であり、図１３は、旋回ロッド６２が起立状態に旋回したときの光ファイバフェルール研磨用ホルダー５０の部分拡大正面図である。図１４は、図１３のＣ−Ｃ線矢視断面図である。図１２では、径方向内方を矢印Ｌ１、径方向外方を矢印Ｌ２で示し、図１４では、径方向外方を矢印Ｌ２で示す。
【００７３】
光ファイバフェルール研磨用ホルダー５０に光ファイバ１０１の光ファイバフェルール１０１ａを設置固定する手順は、以下のとおりである。ホルダープレート５１の開放状態にあるフェルール挿入孔５９に光ファイバフェルール１０１ａを挿入した後、旋回ロッド６２の摘み８１を摘持し、図１０に矢印Ｌ１で示すように、傾斜状態にある旋回ロッド６２を径方向内方へ旋回させる。
【００７４】
旋回ロッド６２を径方向内方へ旋回させると、図１２に示すように、旋回ロッド６２が下端部８０を中心にトーラス材６１の側方開口７０から上方開口６８に向かって旋回し、ロッド６２の中間部７９がトーラス材６１の旋回開口７２を移動する。スライドロック６５の下端部１００がトーラス材６１の旋回部７３に乗り上げた状態で下端部１００が旋回部７３を摺動しつつ、旋回ロッド６２がトーラス材６１の傾斜支持部７１から起立支持部６９に向かって移動する。
【００７５】
旋回ロッド６２を径方向内方へ旋回させると、ロッド６２の下端８３に形成された押圧凸部８４が固定駒６３の頂部８８の傾斜面９５を押圧し、固定駒６３が回転軸９１を中心に板バネ６４のバネ部９８（付勢手段）の付勢力に抗して径方向内方へ次第に旋回（移動）し、固定駒６３の前部８６および頂部８８が径方向内方へ旋回して前部８６および頂部８８がフェルール挿入孔５９に次第に近づく。
【００７６】
光ファイバフェルール研磨用ホルダー５０は、旋回ロッド６２の傾斜状態から起立状態への旋回時にロッド６２の押圧凸部８４が固定駒６３の傾斜面９５を摺動下に押圧することで、板バネ６４のバネ部９８の付勢力に抗して固定駒６３を径方向内方へ円滑に旋回（移動）させることができ、ロッド６２の押圧凸部８４によって回転軸９１を中心に固定駒６３を径方向内向へ確実に旋回させることができる。
【００７７】
図１２の状態から旋回ロッド６２をさらに径方向内方へ旋回させると、ロッド６２がトーラス材６１の上方開口６８に向かって旋回部７３を移動し、図１３，１４に示すように、ロッド６２が旋回部７３から起立支持部６９に移動して傾斜状態から起立状態に旋回する。旋回ロッド６２の傾斜状態から起立状態への旋回にともなって固定駒６３が径方向内方へさらに旋回（移動）し、固定駒６３の前部８６がフェルール挿入孔５９に移動する。
【００７８】
旋回ロッド６２が起立状態に旋回すると、ロッド６２がトーラス材６１の上方開口６８に位置するとともに、ロッド６２の中間部７９がトーラス材６１の起立支持部６９に当接し、径方向内方へのロッド６２のそれ以上の旋回が阻止される。旋回ロッド６２がトーラス材６１の起立支持部６９に移動すると、コイルバネ６６の付勢力によってスライドロック６５がロッド６２の下方へ移動し、スライドロック６５の下端部１００がロック孔７４に進入する。
【００７９】
スライドロック６５の下端部１００がロック孔７４に進入することで、旋回ロッド６２が起立支持部６９に旋回不能に固定されてロッド６２の起立状態が維持される。さらに、コイルバネ６６の付勢力によってスライドロック６５が旋回ロッド６２の下方へ押圧され、スライドロック６５の下端部１００のロック孔７４への進入状態が維持される。
【００８０】
旋回ロッド６２がトーラス材６１において起立し、固定駒６３の前部８６がフェルール挿入孔５９に移動すると、図１４に示すように、固定駒６３の底部８９が設置孔部５８の下方に位置するとともに、光ファイバフェルール１０１ａの頂部１０２が固定駒６３の前部８６の嵌入部分９３に嵌入する。光ファイバフェルール１０１ａの頂部１０２が嵌入部分９３に嵌入することで、光ファイバフェルール１０１ａがホルダープレート５１のフェルール挿入孔５９に遊動不能であって挿入孔５９から脱出不能に固定される。
【００８１】
光ファイバフェルール研磨用ホルダー５０は、スライドロック６５の下端部１００のロック孔７４に対する進入状態がコイルバネ６６の付勢力によって維持されるとともに、旋回ロッド６２の起立状態が維持されるから、ロッド６２が径方向外方へ不用意に旋回することはなく、フェルール挿入孔５９に対する光ファイバフェルール１０１ａの固定が不用意に解除されることはなく、固定駒６３による光ファイバフェルール１０１ａのフェルール挿入孔５９における固定を維持することができる。
【００８２】
光ファイバフェルール研磨用ホルダー５０は、旋回ロッド６２が起立状態に旋回したときに、光ファイバフェルール１０１ａの頂部１０２が固定駒６３の前部８６に形成された嵌入部分９３に嵌入するから、固定駒６３の嵌入部分９３によって光ファイバフェルール１０１ａをフェルール挿入孔５９に遊動不能であって挿入孔５９から脱出不能に固定することができる。
【００８３】
光ファイバフェルール研磨用ホルダー５０は、旋回ロッド６２の旋回にともなって移動した固定駒６３が光ファイバフェルール１０１ａをフェルール挿入孔５９に固定するから、旋回ロッド６２を旋回させる操作のみによって光ファイバフェルール１０１ａを挿入孔５９に固定することができ、フェルール挿入孔５９に対する光ファイバフェルール１０１ａの固定に手間と時間とを要せず、光ファイバフェルール１０１ａを挿入孔５９に簡単かつ容易に固定することができる。
【００８４】
光ファイバフェルール研磨用ホルダー５０は、それら固定駒６３によってそれら光ファイバ１０１の光ファイバフェルール１０１ａが各フェルール挿入孔５９に固定され、各光ファイバフェルール１０１ａの各フェルール挿入孔５９に対する固定条件を同一にすることができ、各光ファイバフェルール１０１ａに均等に研磨加工を施すことができる。
【００８５】
図１５は、光ファイバフェルール研磨用ホルダー５０を光ファイバフェルール研磨機１０３に取り付けた状態の側面図であり、図１６は、図１５のＤ−Ｄ線矢視断面図である。図１７は、研磨加工中の光ファイバフェルール研磨機１０３の斜視図である。なお、図１５では、光ファイバ１０１の図示を省略し、図１７では、光ファイバ１０１および各種スイッチの図示を省略している。複数の光ファイバ１０１の光ファイバフェルール１０１ａをそれらフェルール挿入孔５９に設置固定した後、光ファイバフェルール研磨用ホルダー５０を光ファイバフェルール研磨機１０３の装着軸１０４に取り付ける。光ファイバフェルール研磨機１０３の装着軸１０４に光ファイバフェルール研磨用ホルダー５０を取り付ける手順は、以下のとおりである。
【００８６】
光ファイバフェルール研磨機１０３の装着軸１０４は、光ファイバフェルール研磨機１０３の旋回アーム１０５に設置されている。旋回アーム１０５は、光ファイバフェルール研磨機１０３の上下方向へ旋回する。旋回アーム１０５には、挿入パイプ１２の頂部２０の位置決め凹部２２が進入する位置決め凸部１０６が形成されている。
【００８７】
光ファイバフェルール研磨機１０３は、空気圧または油圧を利用した衝撃吸収機能を備え、その装着軸１０４が衝撃吸収機能によって軸方向前方へ向かって押圧されている。装着軸１０４は、図１６に示すように、その先端１０７から軸方向後方へ向かって上り勾配に傾斜する先端斜面１０８と、先端斜面１０８から軸方向後方へ離間して軸方向へ延びていて装着軸１０４の径方向内方へ凹む中央凹部１０９とを有する。
【００８８】
挿入パイプ１２の頂部２０の位置決め凹部２２を旋回アーム１０５の位置決め凸部１０６に位置させつつ、光ファイバフェルール研磨用ホルダー５０の中央部５４に取り付けられた研磨用ホルダー装着治具１０の挿入パイプ１２の挿入空間２１に光ファイバフェルール研磨機１０３の装着軸１０４の先端１０７を配置する。位置決め凸部１０６を位置決め凹部２２に進入させるとともに、装着軸１０４の先端１０７を挿入パイプ１２の挿入空間２１に挿入する。位置決め凸部１０６を位置決め凹部２２に進入させることで、装着軸１０４に対する挿入パイプ１２の挿入位置が決められ、挿入パイプ１２が装着軸１０４の所定の位置に装着される。
【００８９】
装着軸１０４の先端１０７を挿入空間２１に挿入すると、挿入パイプ１２の内周面２５から挿入空間２１に露出する操作ロッド１４の露出端部３６に装着軸１０４の先端斜面１０８が当接する。装着軸１０４を挿入パイプ１２の挿入空間２１に次第に挿入すると、コイルバネ１５の付勢力に抗して操作ロッド１４の露出端部３６が装着軸１０４の先端斜面１０８に押圧され、ハンドル軸３７の前端部分３８（当接フランジ３９）が収納ケース１３の収容空間２９において径方向後方へ移動（後退）するとともに、露出端部３６が装着軸１０４の先端斜面１０８の傾斜に沿って径方向外方へ次第に移動（後退）し、露出端部３６が挿入パイプ１２の貫通孔２７と設置凹部２３とに移動する。
【００９０】
装着軸１０４が挿入パイプ１２の挿入空間２１に挿入される過程において操作ロッド１４の露出端部３６の先端が装着軸１０４の外周面１１０を摺動しつつ露出端部３６が装着軸１０４の中央凹部１０９に向かって移動する。操作ロッド１４の露出端部３６が装着軸１０４の外周面１１０を通り過ぎて中央凹部１０９に達すると、コイルバネ１５の付勢力によって露出端部３６が径方向内方へ進出（前進）し、露出端部３６が挿入パイプ１２の挿入空間２１に露出するとともに、挿入空間２１に露出した露出端部３６が装着軸１０４の中央凹部１０９に露出し、露出端部３６が装着軸１０４の中央凹部１０９に係入する。露出端部３６が中央凹部１０９に係入することで、研磨用ホルダー装着治具１０が光ファイバフェルール研磨機１０３の装着軸１０４に装着され、それによって光ファイバフェルール研磨用ホルダー５０が光ファイバフェルール研磨機１０３に取り付けられる。
【００９１】
光ファイバフェルール研磨用ホルダー５０を光ファイバフェルール研磨機１０３に取り付けた後、光ファイバフェルール研磨機１０３の旋回アーム１０５を研磨盤１１１に向かって旋回させ、ホルダープレート５１の下面５７を光ファイバフェルール研磨機１０３の研磨盤１１１に当接させる。光ファイバフェルール研磨機１０３を稼働させることで、光ファイバフェルール研磨用ホルダー５０に設置固定されたそれら光ファイバフェルール１０１ａの研磨が行われる。
【００９２】
研磨用ホルダー装着治具１０は、操作ロッド１４の露出端部３６が装着軸１０４の中央凹部１０９に達すると、コイルバネ１５の付勢力によって露出端部３６が中央凹部１０９に向かって径方向内方へ進出しつつ露出端部３６が中央凹部１０９に露出し、露出端部３６が中央凹部１０９に係入するから、挿入パイプ１２の挿入空間２１に光ファイバフェルール研磨機１０３の装着軸１０４を挿入するだけで、研磨用ホルダー装着治具１０を装着軸１０４に装着することができ、研磨用ホルダー装着治具１０を利用することで、手間と時間とを要せずに光ファイバフェルール研磨用ホルダー５０を光ファイバフェルール研磨機１０３に迅速かつ容易に取り付けることができる。その結果として、光ファイバフェルール研磨機１０３を利用した光ファイバフェルール１０１ａの研磨作業を効率よく短時間に行うことができる。
【００９３】
光ファイバフェルール研磨機１０３による光ファイバフェルール１０１ａの研磨が終了した後、光ファイバフェルール研磨機１０３から光ファイバフェルール研磨用ホルダー５０を取り外す。光ファイバフェルール研磨機１０３から光ファイバフェルール研磨用ホルダー５０を取り外す手順は、以下のとおりである。
【００９４】
操作ロッド１４のハンドル軸３７の摘み４１を摘持し、コイルバネ１５の付勢力に抗してハンドル軸３７を径方向外方へ移動させる（引っ張る）。ハンドル軸３７を径方向外方へ移動させると、ハンドル軸３７の前端部分３８（当接フランジ３９）が収納ケース１３の収容空間２９において径方向後方へ移動（後退）するとともに、操作ロッド１４の露出端部３６が挿入パイプ１２の挿入空間２１から径方向外方へ移動（後退）し、露出端部３６が挿入パイプ１２の貫通孔２７と設置凹部２３とに移動して露出端部３６が装着軸１０４の中央凹部１０９から退出する
【００９５】
操作ロッド１４の露出端部３６が挿入パイプ１２の挿入空間２１から径方向外方へ移動し、露出端部３６が挿入空間２１の内周面２５と面一または内周面２５の径方向外方へ引っ込むと、装着軸１０４の中央凹部１０９に対する露出端部３６の係入が解除され、装着軸１０４からの研磨用ホルダー装着治具１０の抜き取りが可能になる。コイルバネ１５の付勢力に抗してハンドル軸３７を径方向外方へ移動させつつ、装着軸１０４から研磨用ホルダー装着治具１０を抜き取ることで、光ファイバフェルール研磨機１０３から光ファイバフェルール研磨用ホルダー５０を取り外す。
【００９６】
研磨用ホルダー装着治具１０は、コイルバネ１５の付勢力に抗して操作ロッド１４を径方向外方に移動させ、操作ロッド１４の露出端部３６を挿入パイプ１２の挿入空間２１から径方向外方へ移動させることで露出端部３６が装着軸１０４の中央凹部１０９から退出し、中央凹部に対する露出端部の係入が解除されるから、コイルバネ１５の付勢力に抗して露出端部３６を挿入パイプ１２の挿入空間２１から径方向外方へ移動させるだけで、装着軸１０４からの研磨用ホルダー装着治具１０の抜き取りを可能にすることができ、研磨用ホルダー装着治具１０を利用することで、手間と時間とを要せずに光ファイバフェルール研磨用ホルダー５０を光ファイバフェルール研磨機１０３から迅速かつ容易に取り外すことができる。
【００９７】
光ファイバフェルール研磨機１０３から光ファイバフェルール研磨用ホルダー５０を取り外した後、光ファイバフェルール研磨用ホルダー５０のフェルール挿入孔５９から研磨後の光ファイバフェルール１０１ａを抜き取る。フェルール挿入孔５９から光ファイバ１０１の光ファイバフェルール１０１ａを抜き取る手順は、以下のとおりである。起立状態にある旋回ロッド６２に挿通されたスライドロック６５の摘み部９９を摘持し、コイルバネ６６の付勢力に抗してスライドロック６５をロッド６２の上端部７８に向かって移動させ、スライドロック６５の下端部１００をロック孔７４から引き出す。次に、摘み部９９を摘持しつつ旋回ロッド６２の摘み８１を摘持し、図１４に矢印Ｌ２で示すように、起立状態にある旋回ロッド６２を径方向外方へ旋回させる。
【００９８】
旋回ロッド６２を径方向外方へ旋回させると、ロッド６２が下端部８０を中心にトーラス材６１の上方開口６８から側方開口７０に向かって旋回し、ロッド６２の上端部７８および中間部７９がトーラス材６１の旋回開口７２を移動する。スライドロック６５の下端部１００がトーラス材６１の旋回部７３に乗り上げた状態で下端部１００が旋回部７３を摺動しつつ、旋回ロッド６２がトーラス材６１の起立支持部６９から傾斜支持部７１に向かって移動する。
【００９９】
旋回ロッド６２を径方向外方へ旋回させると、ロッド６２の下端８３に形成された押圧凸部８４が固定駒６３の頂部８８の傾斜面９５を上方へ移動し、固定駒６５が回転軸９１を中心に板バネ６４のバネ部９８（付勢手段）の付勢力によって径方向外方へ次第に旋回（移動）し、固定駒６３の前部８６および頂部８８が径方向外方へ旋回して前部８６および頂部８８がフェルール挿入孔５９から次第に離間する（図１２参照）。
【０１００】
旋回ロッド６２をさらに径方向外方へ旋回させると、ロッド６２がトーラス材６１の側方開口７０に向かって旋回部７３を移動し、旋回部７３から傾斜支持部７１に移動して起立状態から傾斜状態へ旋回する。旋回ロッド６２の起立状態から傾斜状態への旋回にともなって固定駒６３が径方向外方へさらに旋回し、固定駒６３の前部８６がフェルール挿入孔５９から離間する。
【０１０１】
旋回ロッド６２が傾斜状態に旋回すると、ロッド６２がトーラス材６１の側方開口７０に位置するとともに、ロッド６２の中間部７９がトーラス材６１の傾斜支持部７１に当接し、径方向外方へのロッド６２のそれ以上の旋回が阻止される。旋回ロッド６２がトーラス材６１の傾斜支持部７１に移動すると、固定駒６３の底部８９が設置孔部５８の下方から上方へ離間するとともに、固定駒６３の前部８６の嵌入部分９３が光ファイバフェルール１０１ａの頂部１０２から径方向外方へ離間し、ホルダープレート５１のフェルール挿入孔５９に対する光ファイバフェルール１０１ａの固定が解除される（図１０参照）。
【０１０２】
フェルール挿入孔５９に対する光ファイバフェルール１０１ａの固定を解除した後、挿入孔５９から光ファイバフェルール１０１ａを引き抜く。光ファイバフェルール研磨用ホルダー５０は、板バネ６４のバネ部９８の付勢力によって固定駒６３の旋回（移動）状態が維持されるとともに、フェルール挿入孔５９の開放状態が維持されるから、それら挿入孔５９に各光ファイバ１０１の光ファイバフェルール１０１ａを円滑に挿入することができ、それら挿入孔５９から光ファイバフェルール１０１ａを円滑に引き抜くことができる。
【０１０３】
光ファイバフェルール研磨用ホルダー５０は、旋回ロッド６２の起立状態から傾斜状態への旋回（径方向外方への旋回）にともなって固定駒６３が板バネ６４のバネ部９８（付勢手段）の付勢力によって径方向外方へ旋回して固定駒６３の嵌入部分９３が光ファイバフェルール１０１ａの頂部１０２から離れ、固定駒６３による光ファイバフェルール１０１ａの固定が解除されるから、ロッド６２を径方向外方へ旋回させる操作のみによって固定駒６３による光ファイバフェルール１０１ａのフェルール挿入孔５９における固定を解除することができ、挿入孔４９に対する光ファイバフェルール１０１ａの固定解除に手間と時間とを要せず、光ファイバフェルール１０１ａの固定を簡単かつ容易に解除することができる。光ファイバフェルール研磨用ホルダー５０は、板バネ６４の付勢力によって固定駒６３の移動状態が維持されるとともに、フェルール挿入孔５９の開放状態が維持されるから、それら挿入孔５９に各光ファイバ１０１の光ファイバフェルール１０１ａを円滑に挿入することができ、それら挿入孔５９から光ファイバフェルール１０１ａを円滑に引き抜くことができる。
【０１０４】
なお、光ファイバフェルール研磨用ホルダー５０は、研磨用ホルダー装着治具１０の取付プレート１１をホルダープレート５１に取り付けたときに、ハンドル軸３７の後端部分４０が環状に並ぶそれら設置手段５３（旋回ロッド６２）の間を通ってホルダープレート５１の周縁部５２から径方向外方に延出する。したがって、ハンドル軸３７の後端部分４０が設置手段５３（旋回ロッド６２の旋回）を妨害することはなく、設置手段５３（旋回ロッド６２の旋回）によって複数の光ファイバ１０１の光ファイバフェルール１０１ａをホルダープレート５１の周縁部５２に設置することができるとともに、ホルダープレート５１の周縁部５２から径方向外方に延出するハンドル軸３７の後端部分４０を径方向外方へ移動させることで、露出端部３６が装着軸１０４の中央凹部１０９から退出するから、中央凹部１０９に対する露出端部３６の係入を容易に解除することができる。
【符号の説明】
【０１０５】
１０    研磨用ホルダー装着治具
１１    取付プレート
１２    挿入パイプ
１３    収納ケース
１４    操作ロッド
１５    コイルバネ（付勢手段）
１６    固定ネジ
１７    ネジ孔
１８    底部
１９    中央部
２０    頂部
２１    挿入空間
２２    位置決め凹部
２３    設置凹部
２４    外周面
２５    内周面
２６    周壁
２７    貫通孔
２８    ネジ孔
２９    収容空間
３０    周壁
３１    後端壁
３２    前端壁
３３    挿通孔
３４    挿通孔
３５    ネジ孔
３６    露出端部
３７    ハンドル軸
３８    前端部分
３９    当接フランジ
４０    後端部分
４１    摘み
４２    前端部
４３    後端部
５０    光ファイバフェルール研磨用ホルダー
５１    ホルダープレート
５２    周縁部
５３    設置手段
５４    中央部
５５    螺着孔
５６    上面
５７    下面
５８    設置孔部
５９    フェルール挿入孔
６０    螺着孔
６１    トーラス材（隆起部材）
６２    旋回ロッド
６３    固定駒
６４    板バネ（付勢手段）
６５    スライドロック
６６    コイルバネ（付勢手段）
６７    ネジ孔
６８    上方開口
６９    起立支持部
７０    側方開口
７１    傾斜支持部
７２    旋回開口
７３    旋回部
７４    ロック孔
７５    後壁
７６    両側壁
７７    軸孔
７８    上端部
７９    中間部
８０    下端部
８１    摘み
８２    軸
８３    下端
８４    押圧凸部
８５    残余面
８６    前部
８７    後部
８８    頂部
８９    底部
９０    両側部
９１    回転軸
９２    軸孔
９３    嵌入部分
９４    湾曲面
９５    傾斜面
９６    当接部分
９７    ベース部
９８    バネ部
９９    摘み部
１００  下端部
１０１  光ファイバ
１０１ａ光ファイバフェルール
１０２  頂部
１０３  光ファイバフェルール研磨機
１０４  装着軸
１０５  旋回アーム
１０６  位置決め凸部
１０７  先端
１０８  先端斜面
１０９  中央凹部
１１０  外周面
１１１  研磨盤
【図１】
2018134691.tif 000003
【図２】
2018134691.tif 000004
【図３】
2018134691.tif 000005
【図４】
2018134691.tif 000006
【図５】
2018134691.tif 000007
【図６】
2018134691.tif 000008
【図７】
2018134691.tif 000009
【図８】
2018134691.tif 000010
【図９】
2018134691.tif 000011
【図１０】
2018134691.tif 000012
【図１１】
2018134691.tif 000013
【図１２】
2018134691.tif 000014
【図１３】
2018134691.tif 000015
【図１４】
2018134691.tif 000016
【図１５】
2018134691.tif 000017
【図１６】
2018134691.tif 000018
【図１７】
2018134691.tif 000019
【手続補正書】
【提出日】平成29年11月22日(2017.11.22)
【手続補正１】
【補正対象書類名】明細書
【補正対象項目名】全文
【補正方法】変更
【補正の内容】
【発明の詳細な説明】
【技術分野】
【０００１】
本発明は、光ファイバフェルール研磨用ホルダーを光ファイバフェルール研磨機に装着する研磨用ホルダー装着治具に関するとともに、光ファイバフェルールの研磨に使用される光ファイバフェルール研磨用ホルダーに関する。
【背景技術】
【０００２】
複数の光ファイバフェルールが挿入される複数の挿入孔を有するホルダープレートと、挿入孔から所定の距離に壁面を有して挿入孔の一側に連なる座部と、挿入孔の座部に対向する側に位置して挿入孔から立ち上がる支持壁とを有し、座部が連なる挿入孔の支持壁との間隔を調整する方向へスライド可能であり、支持壁に向いた前方に保持部を有するとともに、後方に座部の壁面と平行で壁面に向けて下り勾配の傾斜面を有する保持部材が配置され、座部に配置された保持部材の傾斜面上に配置したロッド部材を下方へ押圧するボルトおよびワッシャが座部の壁面外方における台座に設けられ、ボルトを下方へねじ込むことでワッシャがロッド部材を下方へ押圧して座部の壁面に沿って下降し、それによって保持部材が前方へ押し出されて保持部と支持壁とでそれら光ファイバフェルールを保持する光ファイバフェルール研磨用ホルダーが開示されている（特許文献１参照）。特許文献１に開示の光ファイバフェルール研磨用ホルダーは、保持部と支持壁とで各光ファイバフェルールを保持した状態で、光ファイバフェルール研磨機に取り付けられ、光ファイバフェルールの研磨に利用される。
【先行技術文献】
【特許文献】
【０００３】
【特許文献１】特開２００４−１８１６０８号公報
【発明の概要】
【発明が解決しようとする課題】
【０００４】
光ファイバフェルール研磨用ホルダーを光ファイバフェルール研磨機（図１５参照）に装着する一例としては研磨用ホルダー装着治具が利用される。研磨用ホルダー装着治具は、光ファイバフェルール研磨用ホルダーのホルダープレートに設置される取付プレートと、取付プレートから縦方向へ延びる挿入パイプと、挿入パイプの周壁を径方向へ貫通する螺着孔と、螺着孔に螺着される固定ネジとを有する。
【０００５】
研磨用ホルダー装着治具を利用して光ファイバフェルール研磨用ホルダーを光ファイバフェルール研磨機に取り付けるには、挿入パイプの挿入空間に光ファイバフェルール研磨機の装着軸を挿入した後、挿入パイプの周壁に形成された螺着孔に固定ネジを螺着する。固定ネジを時計回り方向へ回転させると、固定ネジが挿入パイプの螺着孔を径方向内方へ移動しつつ、固定ネジの先端部が挿入パイプの内周面から挿入空間に露出し、固定ネジの先端部が光ファイバフェルール研磨機の装着軸の中央凹部に向かって露出することで、挿入パイプが装着軸に取り付けられ、それによって光ファイバフェルール研磨用ホルダーが光ファイバフェルール研磨機に装着される。
【０００６】
光ファイバフェルール研磨機から光ファイバフェルール研磨用ホルダーを取り外すには、固定ネジを反時計回り方向へ回転させる。固定ネジを反時計回り方向へ回転させると、固定ネジが挿入パイプの螺着孔を径方向外方へ移動し、固定ネジの先端部が挿入パイプの内周面から移動（後退）し、固定ネジの先端部が光ファイバフェルール研磨機の装着軸の中央凹部から退出し、その状態で挿入パイプの挿入空間から光ファイバフェルール研磨機の装着軸を抜き取る。
【０００７】
固定ネジを時計回り方向へ回転させることで、光ファイバフェルール研磨用ホルダーを光ファイバフェルール研磨機に装着することができ、固定ネジを反時計回り方向へ回転させることで、光ファイバフェルール研磨機から光ファイバフェルール研磨用ホルダーを取り外すことができるが、光ファイバフェルール研磨機に対する光ファイバフェルール研磨用ホルダーの取り付けと取り外しに固定ネジの回転作業が必要になり、光ファイバフェルール研磨機に対する光ファイバフェルール研磨用ホルダーの取り付けと取り外しとに手間と時間とを要し、光ファイバフェルール研磨用ホルダーを光ファイバフェルール研磨機に迅速かつ容易に取り付けることができず、光ファイバフェルール研磨用ホルダーを光ファイバフェルール研磨機から迅速かつ容易に取り外すことができない。
【０００８】
本発明の目的は、光ファイバフェルール研磨機に対する光ファイバフェルール研磨用ホルダーの取り付けと取り外しとに手間と時間とを要せず、光ファイバフェルール研磨用ホルダーを光ファイバフェルール研磨機に迅速かつ容易に取り付けることができ、光ファイバフェルール研磨用ホルダーを光ファイバフェルール研磨機から迅速かつ容易に取り外すことができる研磨用ホルダー装着治具を提供することにある。本発明の他の目的は、光ファイバフェルール研磨機に対する取り付けと取り外しとに手間と時間とを要せず、光ファイバフェルール研磨機に迅速かつ容易に取り付けることができ、光ファイバフェルール研磨機から迅速かつ容易に取り外すことができる光ファイバフェルール研磨用ホルダーを提供することにある。
【課題を解決するための手段】
【０００９】
前記課題を解決するための本発明の第１の前提は、光ファイバフェルールの研磨に使用される光ファイバフェルール研磨用ホルダーを光ファイバフェルール研磨機の装着軸に着脱可能に取り付ける研磨用ホルダー装着治具である。
【００１０】
前記第１の前提における本発明の研磨用ホルダー装着治具の特徴は、光ファイバフェルール研磨機の装着軸が、その先端から軸方向後方へ向かって上り勾配に傾斜する先端斜面と、先端斜面から軸方向後方へ離間して軸方向へ延びていて装着軸の径方向内方へ凹む中央凹部とを備え、研磨用ホルダー装着治具が、光ファイバフェルール研磨用ホルダーのホルダープレートに取り付けられる取付プレートと、取付プレートから縦方向へ延びていて光ファイバフェルール研磨機の装着軸を挿脱可能に挿入する挿入空間を有する挿入パイプと、挿入パイプの周壁を径方向へ貫通する貫通孔に挿入されて挿入パイプから径方向外方へ延びる操作ロッドと、挿入パイプの外周面に着脱可能に設置された収納ケースと、操作ロッドを挿入パイプの径方向内方へ付勢するコイルバネとから形成され、操作ロッドが、コイルバネの付勢力によって挿入パイプの内周面から挿入空間に露出する露出端部と、露出端部につながって露出端部から径方向外方へ延出し、コイルバネの付勢力に抗して露出端部を挿入パイプの挿入空間から径方向外方へ移動させるハンドル軸と、ハンドル軸の前端部分に形成されて操作ロッドの径方向外方へ延びる当接フランジとを有し、収納ケースが、挿入パイプの径方向へ延びていて操作ロッドのハンドル軸の前端部分とコイルバネとを収容する収容空間と、収容空間を囲繞する周壁と、ハンドル軸の前端部分を挿通する挿通孔が穿孔された後端壁と、操作ロッドの露出端部を挿通する挿通孔が穿孔されて挿入パイプに当接する前端壁とを有し、コイルバネが、ハンドル軸の前端部分に挿通された状態で収容空間に収容され、当接フランジの前端面が、挿入パイプの周壁に当接し、コイルバネの前端部が、当接フランジに当接しているとともに、コイルバネの後端部が、収納ケースの後端壁に当接し、研磨用ホルダー装着治具は、光ファイバフェルール研磨機の装着軸を挿入パイプの挿入空間に挿入すると、コイルバネの付勢力に抗して露出端部が先端斜面に沿って径方向外方へ次第に移動し、露出端部が装着軸の外周面を摺動しつつ中央凹部に達すると、コイルバネの付勢力によって露出端部が中央凹部に向かって径方向内方へ進出しつつ露出端部が中央凹部に露出し、研磨用ホルダー装着治具が装着軸に装着され、コイルバネの付勢力に抗してハンドル軸を径方向外方へ移動させ、露出端部を挿入パイプの挿入空間から径方向外方へ移動させることで露出端部が中央凹部から退出し、装着軸からの研磨用ホルダー装着治具の抜き取りが可能になることにある。
【００１１】
本発明の研磨用ホルダー装着治具の一例としては、研磨用ホルダー装着治具の取付プレートが、ホルダープレートの中央部に着脱可能に取り付けられる。
【００１２】
本発明の研磨用ホルダー装着治具の他の一例としては、複数の光ファイバフェルールを光ファイバフェルール研磨用ホルダーに着脱可能に設置する複数の設置手段が、ホルダープレートの周縁部に形成され、研磨用ホルダー装着治具は、取付プレートをホルダープレートに取り付けたときに、ハンドル軸の後端部分がそれら設置手段の間を通ってホルダープレートの周縁部から径方向外方に延出する。
【００１３】
本発明の研磨用ホルダー装着治具の他の一例としては、光ファイバフェルール研磨機の装着軸を挿入パイプの挿入空間に挿入するときに、装着軸に対する挿入パイプの挿入位置を決める位置決め凹部または位置決め凸部が、挿入パイプの頂部に形成されている。
【００１４】
前記課題を解決するための本発明の第２の前提は、光ファイバフェルールの研磨に使用される光ファイバフェルール研磨用ホルダーである。
【００１５】
前記第２の前提における本発明の光ファイバフェルール研磨用ホルダーの特徴は、光ファイバフェルール研磨用ホルダーが、所定面積のホルダープレートと、ホルダープレートの周縁部に形成されて複数の光ファイバフェルールを着脱可能に設置する複数の設置手段と、光ファイバフェルール研磨用ホルダーを光ファイバフェルール研磨機の装着軸に着脱可能に取り付ける研磨用ホルダー装着治具とを有し、光ファイバフェルール研磨機の装着軸が、その先端から軸方向後方へ向かって上り勾配に傾斜する先端斜面と、先端斜面から軸方向後方へ離間した位置に軸方向へ延びていて装着軸の径方向内方へ凹む中央凹部とを備え、研磨用ホルダー装着治具が、光ファイバフェルール研磨用ホルダーのホルダープレートに設置された取付プレートと、取付プレートから縦方向へ延びていて光ファイバフェルール研磨機の装着軸を挿脱可能に挿入する挿入空間を有する挿入パイプと、挿入パイプの周壁を径方向へ貫通する貫通孔に挿入されて挿入パイプから径方向外方へ延びる操作ロッドと、挿入パイプの外周面に着脱可能に設置された収納ケースと、操作ロッドを挿入パイプの径方向内方へ付勢するコイルバネとから形成され、操作ロッドが、コイルバネの付勢力によって挿入パイプの内周面から挿入空間に露出する露出端部と、露出端部につながって露出端部から径方向外方へ延出し、コイルバネの付勢力に抗して露出端部を挿入パイプの挿入空間から径方向外方へ移動させるハンドル軸と、ハンドル軸の前端部分に形成されて操作ロッドの径方向外方へ延びる当接フランジとを有し、収納ケースが、挿入パイプの径方向へ延びていて操作ロッドのハンドル軸の前端部分とコイルバネとを収容する収容空間と、収容空間を囲繞する周壁と、ハンドル軸の前端部分を挿通する挿通孔が穿孔された後端壁と、操作ロッドの露出端部を挿通する挿通孔が穿孔されて挿入パイプに当接する前端壁とを有し、コイルバネが、ハンドル軸の前端部分に挿通された状態で収容空間に収容され、当接フランジの前端面が、挿入パイプの周壁に当接し、コイルバネの前端部が、当接フランジに当接しているとともに、コイルバネの後端部が、収納ケースの後端壁に当接し、光ファイバフェルール研磨用ホルダーは、光ファイバフェルール研磨機の装着軸を研磨用ホルダー装着治具の挿入パイプの挿入空間に挿入すると、コイルバネの付勢力に抗して露出端部が先端斜面に沿って径方向外方へ次第に移動し、露出端部が装着軸の外周面を摺動しつつ中央凹部に達すると、コイルバネの付勢力によって露出端部が中央凹部に向かって径方向内方へ進出しつつ露出端部が中央凹部を露出し、研磨用ホルダー装着治具が装着軸に装着され、コイルバネの付勢力に抗してハンドル軸を径方向外方へ移動させ、露出端部を挿入パイプの挿入空間から径方向外方へ移動させることで露出端部が中央凹部から退出し、装着軸からの研磨用ホルダー装着治具の抜き取りが可能になることにある。
【００１６】
本発明の光ファイバフェルール研磨用ホルダーの一例としては、複数の設置手段が、ホルダープレートの周縁部に形成され、研磨用ホルダー装着治具の取付プレートが、ホルダープレートの中央部に取り付けられ、ハンドル軸の後端部分が、それら設置手段の間を通ってホルダープレートの周縁部から径方向外方に延出している。
【発明の効果】
【００１７】
本発明に係る研磨用ホルダー装着治具によれば、コイルバネの付勢力によって挿入パイプの内周面から挿入空間に露出する操作ロッドの露出端部が光ファイバフェルール研磨機の装着軸に向かって露出することで、研磨用ホルダー装着治具が装着軸に装着されるから、研磨用ホルダー装着治具を利用することで光ファイバフェルール研磨用ホルダーを光ファイバフェルール研磨機に迅速かつ容易に取り付けることができる。研磨用ホルダー装着治具は、コイルバネの付勢力に抗して操作ロッドを径方向外方に移動させ、操作ロッドの露出端部を挿入パイプの挿入空間から径方向外方へ移動（後退）させることで、露出端部が光ファイバフェルール研磨機の装着軸から退出するから、研磨用ホルダー装着治具を利用することで光ファイバフェルール研磨用ホルダーを光ファイバフェルール研磨機から迅速かつ容易に取り外すことができる。
【００１８】
光ファイバフェルール研磨機の装着軸がその先端から軸方向後方へ向かって上り勾配に傾斜する先端斜面と先端斜面から軸方向後方へ離間して軸方向へ延びていて装着軸の径方向内方へ凹む中央凹部とを備え、光ファイバフェルール研磨機の装着軸を挿入パイプの挿入空間に挿入すると、コイルバネの付勢力に抗して露出端部が先端斜面に沿って径方向外方へ次第に移動し、露出端部が装着軸の外周面を摺動しつつ中央凹部に達すると、コイルバネの付勢力によって露出端部が中央凹部に向かって径方向内方へ進出しつつ露出端部が中央凹部に露出し、研磨用ホルダー装着治具が装着軸に装着され、コイルバネの付勢力に抗してハンドル軸を径方向外方へ移動させ、露出端部を挿入パイプの挿入空間から径方向外方へ移動させることで露出端部が中央凹部から退出し、研磨用ホルダー装着治具の装着軸からの抜き取りが可能になる研磨用ホルダー装着治具は、操作ロッドの露出端部が装着軸の中央凹部に達すると、コイルバネの付勢力によって露出端部が中央凹部に向かって径方向内方へ進出しつつ露出端部が中央凹部に露出し、露出端部が中央凹部に係入するから、挿入パイプの挿入空間に光ファイバフェルール研磨機の装着軸を挿入するだけで、研磨用ホルダー装着治具を装着軸に取り付けることができ、研磨用ホルダー装着治具を利用することで、手間と時間とを要せずに光ファイバフェルール研磨用ホルダーを光ファイバフェルール研磨機に迅速かつ容易に取り付けることができる。研磨用ホルダー装着治具は、コイルバネの付勢力に抗して操作ロッドを径方向外方に移動させ、操作ロッドの露出端部を挿入パイプの挿入空間から径方向外方へ移動させることで露出端部が中央凹部から退出し、中央凹部に対する露出端部の係入が解除されるから、コイルバネの付勢力に抗して露出端部を挿入パイプの挿入空間から径方向外方へ移動させるだけで、装着軸からの研磨用ホルダー装着治具の抜き取りを可能にすることができ、研磨用ホルダー装着治具を利用することで、手間と時間とを要せずに光ファイバフェルール研磨用ホルダーを光ファイバフェルール研磨機から迅速かつ容易に取り外すことができる。
【００１９】
挿入パイプの外周面に設置された収納ケースを含み、前記収納ケースが操作ロッドのハンドル軸の前端部分とコイルバネとを収容する収容空間を有し、コイルバネがハンドル軸の前端部分に挿通された状態で収容空間に収容されている研磨用ホルダー装着治具は、操作ロッドの露出端部が装着軸の中央凹部に達すると、収納ケースに収容されたコイルバネの付勢力によって露出端部が中央凹部に向かって径方向内方へ進出しつつ露出端部が中央凹部に露出し、露出端部が中央凹部に係入するから、挿入パイプの挿入空間に光ファイバフェルール研磨機の装着軸を挿入するだけで、研磨用ホルダー装着治具を装着軸に装着することができ、研磨用ホルダー装着治具を利用することで、手間と時間とを要せずに光ファイバフェルール研磨用ホルダーを光ファイバフェルール研磨機に迅速かつ容易に取り付けることができる。研磨用ホルダー装着治具は、収納ケースに収容されたコイルバネの付勢力に抗して操作ロッドを径方向外方に移動させ、操作ロッドの露出端部を挿入パイプの挿入空間から径方向外方へ移動させることで露出端部が中央凹部から退出し、中央凹部に対する露出端部の係入が解除されるから、コイルバネの付勢力に抗して露出端部を挿入パイプの挿入空間から径方向外方へ移動させるだけで、装着軸からの研磨用ホルダー装着治具の抜き取りを可能にすることができ、研磨用ホルダー装着治具を利用することで、手間と時間とを要せずに光ファイバフェルール研磨用ホルダーを光ファイバフェルール研磨機から迅速かつ容易に取り外すことができる。
【００２０】
操作ロッドの径方向外方へ延びる当接フランジがハンドル軸の前端部分に形成され、当接フランジの前端面が挿入パイプの周壁に当接し、コイルバネの前端部が当接フランジに当接しているとともに、コイルバネの後端部が収納ケースの後端壁に当接している研磨用ホルダー装着治具は、当接フランジの前端面が挿入パイプの周壁に当接し、コイルバネの前端部が当接フランジに当接するとともに、コイルバネの後端部が収納ケースの後端壁に当接することで、コイルバネの付勢力が操作ロッドに確実に作用し、コイルバネの付勢力によって操作ロッドの露出端部が装着軸の中央凹部に向かって径方向内方へ進出しつつ露出端部が中央凹部に露出し、露出端部が中央凹部に係入するから、挿入パイプの挿入空間に光ファイバフェルール研磨機の装着軸を挿入するだけで、研磨用ホルダー装着治具を装着軸に装着することができ、研磨用ホルダー装着治具を利用することで、手間と時間とを要せずに光ファイバフェルール研磨用ホルダーを光ファイバフェルール研磨機に迅速かつ容易に取り付けることができる。
【００２１】
研磨用ホルダー装着治具の取付プレートがホルダープレートの中央部に着脱可能に取り付けられる研磨用ホルダー装着治具は、たとえば、複数の光ファイバフェルールがホルダープレートの周縁部に設置された場合、取付プレートを介してホルダープレートの中央部に取り付けられた研磨用ホルダー装着治具を利用することで、光ファイバフェルール研磨機によってそれら光ファイバフェルールを均等に研磨することができる。
【００２２】
複数の光ファイバフェルールを光ファイバフェルール研磨用ホルダーに着脱可能に設置する複数の設置手段がホルダープレートの周縁部に形成され、取付プレートをホルダープレートに取り付けたときに、ハンドル軸の後端部分がそれら設置手段の間を通ってホルダープレートの周縁部から径方向外方に延出する研磨用ホルダー装着治具は、ホルダープレートの周縁部に並ぶそれら設置手段を介して複数の光ファイバフェルールがホルダープレートの周縁部に設置された場合、取付プレートを介してホルダープレートの中央部に取り付けられた研磨用ホルダー装着治具を利用することで、光ファイバフェルール研磨機によってそれら光ファイバフェルールを均等に研磨することができる。研磨用ホルダー装着治具は、取付プレートをホルダープレートに取り付けたときに、ハンドル軸の後端部分がそれら設置手段の間を通ってホルダープレートの周縁部から径方向外方に延出するから、ハンドル軸の後端部分が設置手段を妨害することはなく、設置手段によって複数の光ファイバフェルールをホルダープレートの周縁部に設置することができるとともに、ホルダープレートの周縁部から径方向外方に延出するハンドル軸の後端部分を径方向外方へ移動させることで、露出端部が装着軸の中央凹部から退出するから、中央凹部に対する露出端部の係入を容易に解除することができる。
【００２３】
光ファイバフェルール研磨機の装着軸を挿入パイプの挿入空間に挿入するときに、装着軸に対する挿入パイプの挿入位置を決める位置決め凹部または位置決め凸部が挿入パイプの頂部に形成されている研磨用ホルダー装着治具は、位置決め凹部や位置決め凸部によって装着軸に対する挿入パイプの挿入位置が一定するから、研磨用ホルダー装着治具を光ファイバフェルール研磨機の装着軸に装着位置に正確に装着することができ、操作ロッドの露出端部を装着軸に中央凹部に正確に位置させることができる。
【００２４】
本発明に係る光ファイバフェルール研磨用ホルダーによれば、コイルバネの付勢力によって挿入パイプの内周面から挿入空間に露出する操作ロッドの露出端部が光ファイバフェルール研磨機の装着軸に向かって露出することで、研磨用ホルダー装着治具が装着軸に装着されるから、光ファイバフェルール研磨用ホルダーを光ファイバフェルール研磨機に迅速かつ容易に取り付けることができる。光ファイバフェルール研磨用ホルダーは、コイルバネの付勢力に抗して操作ロッドを径方向外方に移動させ、操作ロッドの露出端部を挿入パイプの挿入空間から径方向外方へ移動（後退）させることで、露出端部が光ファイバフェルール研磨機の装着軸から退出するから、光ファイバフェルール研磨用ホルダーを光ファイバフェルール研磨機から迅速かつ容易に取り外すことができる。
【００２５】
光ファイバフェルール研磨機の装着軸がその先端から軸方向後方へ向かって上り勾配に傾斜する先端斜面と先端斜面から軸方向後方へ離間した位置に軸方向へ延びていて装着軸の径方向内方へ凹む中央凹部とを備え、光ファイバフェルール研磨機の装着軸を研磨用ホルダー装着治具の挿入パイプの挿入空間に挿入すると、コイルバネの付勢力に抗して露出端部が先端斜面に沿って径方向外方へ次第に移動し、露出端部が装着軸の外周面を摺動しつつ中央凹部に達すると、コイルバネの付勢力によって露出端部が中央凹部に向かって径方向内方へ進出しつつ露出端部が中央凹部を露出し、研磨用ホルダー装着治具が装着軸に装着され、コイルバネの付勢力に抗してハンドル軸を径方向外方へ移動させ、露出端部を挿入パイプの挿入空間から径方向外方へ移動させることで露出端部が中央凹部から退出し、装着軸からの研磨用ホルダー装着治具の抜き取りが可能になる光ファイバフェルール研磨用ホルダーは、操作ロッドの露出端部が装着軸の中央凹部に達すると、コイルバネの付勢力によって露出端部が中央凹部に向かって径方向内方へ進出しつつ露出端部が中央凹部に露出し、露出端部が中央凹部に係入するから、研磨用ホルダー装着治具の挿入パイプの挿入空間に光ファイバフェルール研磨機の装着軸を挿入するだけで、研磨用ホルダー装着治具を装着軸に取り付けることができ、手間と時間とを要せずに光ファイバフェルール研磨用ホルダーを光ファイバフェルール研磨機に迅速かつ容易に取り付けることができる。光ファイバフェルール研磨用ホルダーは、コイルバネの付勢力に抗して操作ロッドを径方向外方に移動させ、操作ロッドの露出端部を挿入パイプの挿入空間から径方向外方へ移動させることで露出端部が中央凹部から退出し、中央凹部に対する露出端部の係入が解除されるから、コイルバネの付勢力に抗して露出端部を挿入パイプの挿入空間から径方向外方へ移動させるだけで、装着軸からの研磨用ホルダー装着治具の抜き取りを可能にすることができ、手間と時間とを要せずに光ファイバフェルール研磨用ホルダーを光ファイバフェルール研磨機から迅速かつ容易に取り外すことができる。
【００２６】
複数の光ファイバフェルールを着脱可能に設置する複数の設置手段がホルダープレートの周縁部に形成され、研磨用ホルダー装着治具の取付プレートがホルダープレートの中央部に取り付けられ、ハンドル軸の後端部分がそれら設置手段の間を通ってホルダープレートの周縁部から径方向外方に延出している光ファイバフェルール研磨用ホルダーは、ホルダープレートの周縁部に並ぶそれら設置手段を介して複数の光ファイバフェルールがホルダープレートの周縁部に設置された場合、取付プレートを介してホルダープレートの中央部に取り付けられた研磨用ホルダー装着治具を利用することで、光ファイバフェルール研磨機によってそれら光ファイバフェルールを均等に研磨することができる。光ファイバフェルール研磨用ホルダーは、研磨用ホルダー装着治具の取付プレートをホルダープレートに取り付けたときに、ハンドル軸の後端部分がそれら設置手段の間を通ってホルダープレートの周縁部から径方向外方に延出するから、ハンドル軸の後端部分が設置手段を妨害することはなく、設置手段によって複数の光ファイバフェルールをホルダープレートの周縁部に設置することができるとともに、ホルダープレートの周縁部から径方向外方に延出するハンドル軸の後端部分を径方向外方へ移動させることで、露出端部が装着軸の中央凹部から退出するから、中央凹部に対する露出端部の係入を容易に解除することができる。
【図面の簡単な説明】
【００２７】
【図１】一例として示す研磨用ホルダー装着治具の斜視図。
【図２】研磨用ホルダー装着治具の上面図。
【図３】図１のＡ−Ａ線矢視断面図。
【図４】操作ロッドのハンドル軸を径方向外方へ移動させたときの図３と同一の断面図。
【図５】一例として示す光ファイバフェルール研磨用ホルダーの上面図。
【図６】一例として示すホルダープレートの上面図。
【図７】トーラス材を部分的に示す部分拡大斜視図。
【図８】一例として示す固定駒の斜視図。
【図９】旋回ロッドが傾斜状態に旋回したときの光ファイバフェルール研磨用ホルダーの部分拡大正面図。
【図１０】図９のＢ−Ｂ線矢視断面図。
【図１１】光ファイバフェルールをフェルール挿入孔に挿入する以前の状態で示す図１０と同一の断面図。
【図１２】旋回ロッドを旋回途中の状態で示す断面図。
【図１３】旋回ロッドが起立状態に旋回したときの光ファイバフェルール研磨用ホルダーの部分拡大正面図。
【図１４】図１３のＣ−Ｃ線矢視断面図。
【図１５】光ファイバフェルール研磨用ホルダーを光ファイバフェルール研磨機に取り付けた状態の側面図。
【図１６】図１５のＤ−Ｄ線矢視断面図。
【図１７】研磨加工中の光ファイバフェルール研磨機の斜視図。
【発明を実施するための形態】
【００２８】
一例として示す研磨用ホルダー装着治具１０の斜視図である図１等の添付の図面を参照し、本発明に係る研磨用ホルダー装着治具および本発明に係る光ファイバフェルール研磨用ホルダーの詳細を説明すると、以下のとおりである。なお、図２は、研磨用ホルダー装着治具１０の上面図であり、図３は、図１のＡ−Ａ線矢視断面図である。図４は、操作ロッド１４のハンドル軸３７を径方向外方へ移動させたときの図３と同一の断面図である。図１では、径方向を矢印Ｌで示し、縦方向を矢印Ｎで示す。
【００２９】
研磨用ホルダー装着治具１０は、光ファイバフェルール１０１ａの研磨に使用される光ファイバフェルール研磨用ホルダー５０（図５参照）に着脱可能に取り付けられ、光ファイバフェルール研磨機１０３（図１５参照）への光ファイバフェルール研磨用ホルダー５０の取り付けに利用される。研磨用ホルダー装着治具１０は、取付プレート１１、挿入パイプ１２、収納ケース１３、操作ロッド１４、コイルバネ１５から形成されている。
【００３０】
取付プレート１１は、アルミや合金鋼、鉄鋼等の金属または合成樹脂から作られ、所定厚みを有する円環状（ドーナツ型）に成形されている。取付プレート１１には、固定ネジ１６（六角穴付きボルト等）を挿通または螺着するネジ孔１７が穿孔されている。取付プレート１１は、光ファイバフェルール研磨用ホルダー５０の後記するホルダープレート５１に着脱可能に取り付けられる。なお、取付プレート１１がホルダープレート５１と一体に成形され、取付プレート１１がホルダープレート５１に一連につながっていてもよい。
【００３１】
挿入パイプ１２は、アルミや合金鋼、鉄鋼等の金属または合成樹脂から作られ、取付プレート１１と一体に成形されて取付プレート１１に一連につながっている。挿入パイプ１２は、取付プレート１１から縦方向へ直状に延びている。挿入パイプ１２は、取付プレート１１につながる底部１８と、底部１８の反対側に位置する頂部２０と、底部１８および頂部２０の間に延びる中央部１９とを有し、底部１８から頂部２０に向かって延びる円筒状の挿入空間２１を有する。挿入空間２１には、光ファイバフェルール研磨機１０３の後記する装着軸１０４が挿脱可能に挿入される。
【００３２】
挿入パイプ１２の頂部２０には、頂部２０から中央部１９に向かって縦方向へ凹む２つの位置決め凹部２２が形成されている。なお、頂部２０から上方へ向かって凸となる２つの位置決め凸部が挿入パイプ１２の頂部２０に形成されていてもよい。位置決め凹部２２や位置決め凸部は、光ファイバフェルール研磨機１０３の装着軸１０４を挿入パイプ１２の挿入空間２１に挿入するときに、装着軸１０４に対する挿入パイプ１２の挿入位置を決め、挿入パイプ１２を装着軸１０４の所定の位置に装着する。
【００３３】
挿入パイプ１２の中央部１９には、径方向内方へ凹む設置凹部２３が形成されている。設置凹部２３には、挿入パイプ１２の外周面２４と内周面２５との間に延びていて挿入パイプ１２の周壁２６を径方向へ貫通する貫通孔２７が穿孔されているとともに、固定ネジ１６を螺着するネジ孔２８が穿孔されている。
【００３４】
収納ケース１３は、アルミや合金鋼、鉄鋼等の金属または合成樹脂から作られ、挿入パイプ１２の中央部１９の外周面２４に形成された設置凹部２３に着脱可能に設置されている。収納ケース１３は、挿入パイプ１２の径方向へ延びる収容空間２９と、収容空間２９を囲繞する周壁３０（両側壁および両端壁）と、縦方向へ長い後端壁３１と、設置凹部２３に当接する縦方向へ長い前端壁３２とを有する。収容空間２９には、操作ロッド１４の後記するハンドル軸３７の前端部分３８（当接フランジ３９）とコイルバネ１５とが収容される。後端壁３１には、ハンドル軸３７を挿通する挿通孔３３が穿孔され、前端壁３２には、操作ロッド１４の後記する露出端部３６を挿通する挿通孔３４が穿孔されている。
【００３５】
収納ケース１３には、固定ネジ１６（六角穴付きボルト等）を挿通または螺着するネジ孔３５が穿孔されている。ネジ孔３５は、後端壁３１から前端壁３２に向かって径方向へ延びている。収納ケース１３は、その前端壁３２が挿入パイプ１２の設置凹部２３に嵌め込まれ、そのネジ孔３５に固定ネジ１６が挿通または螺着されるとともに、挿入パイプ１２の周壁２６のネジ孔２８に固定ネジ１６が螺着されることで、挿入パイプ１２の中央部１９の周壁２６（設置凹部２３）に固定されている。
【００３６】
操作ロッド１４は、アルミや合金鋼、鉄鋼等の金属または合成樹脂から作られ、径方向へ長い棒状に成形されている。操作ロッド１４は、挿入パイプ１２の挿通孔３３に挿入されて挿入パイプ１２から径方向外方へ直状に延びている。操作ロッド１４は、挿入パイプ１２の内周面２５から挿入空間２１に露出する露出端部３６と、露出端部３６につながって露出端部３６から径方向外方へ延びるハンドル軸３７とから形成されている。
【００３７】
露出端部３６は、収納ケース１３の前端壁３２の挿通孔３４に挿通されているとともに、挿入パイプ１２の貫通孔２７に摺動可能に挿通されている。露出端部３６は、径方向内方と径方向外方とへ進退可能であり、径方向内方へ進出することで、挿入パイプ１２の内周面２５から挿入空間２１に露出し、径方向外方へ移動（後退）することで、挿入空間２１から挿入パイプ１２の貫通孔２７と設置凹部２３とに移動する。
【００３８】
ハンドル軸３７は、その前端部分３８が収納ケース１３の収容空間２９に収容されて径方向へ延びている。ハンドル軸３７の前端部分３８は、収納ケース１３の後端壁３１に穿孔された挿通孔３３に摺動可能に挿通されている。ハンドル軸３７の前端部分３８には、操作ロッド１４の径方向外方へ延びる当接フランジ３９が形成されている。ハンドル軸３７の後端部分４０には、摘持可能な摘み４１が取り付けられている。
【００３９】
コイルバネ１５（圧縮コイルバネ）は、ハンドル軸３７の前端部分３８に挿通された状態で収納ケース１３の収容空間２９と挿入パイプ１２の設置凹部２３とに収容されている。コイルバネ１５は、操作ロッド１４（露出端部３６）を挿入パイプ１２の径方向内方へ付勢する。コイルバネ１５は、その前端部４２が当接フランジ３９に当接し、その後端部４３が収納ケース１３の後端壁３１に当接している。コイルバネ１５の付勢力によって、当接フランジ３９の前端面が挿入パイプ１２の設置凹部２３の外周面２４に当接（密着）し、操作ロッド１４の露出端部３６が挿入パイプ１２の内周面２５から挿入空間２１に露出している。
【００４０】
ハンドル軸３７の摘み４１を摘持し、コイルバネ１５の付勢力に抗してハンドル軸３７を径方向外方へ移動させると（引っ張ると）、ハンドル軸３７の前端部分３８（当接フランジ３９）が収納ケース１３の収容空間２９において径方向後方へ移動し、操作ロッド１４の露出端部３６が挿入パイプ１２の挿入空間２１から径方向外方へ移動（後退）し、露出端部３６が挿入パイプ１２の貫通孔２７と設置凹部２３とに移動して挿入空間２１から退出する。
【００４１】
ハンドル軸３７を径方向外方へ引っ張る力を解除すると、コイルバネ１５の付勢力によって、ハンドル軸３７の前端部分３８（当接フランジ３９）が収納ケース１３の収容空間２９において径方向前方へ移動し、操作ロッド１４の露出端部３６が挿入パイプ１２の内周面２５から挿入空間２１に露出し、その状態が保持される。
【００４２】
図５は、一例として示す光ファイバフェルール研磨用ホルダー５０の上面図であり、図６は、一例として示すホルダープレート５１の上面図である。図７は、トーラス材６１を部分的に示す部分拡大斜視図であり、図８は、一例として示す固定駒６３の斜視図である。図９は、旋回ロッド６２が傾斜状態に旋回したときの光ファイバフェルール研磨用ホルダー５０の部分拡大正面図であり、図１０は、図９のＢ−Ｂ線矢視断面図である。図１１は、光ファイバフェルールをホルダープレート５１のフェルール挿入孔５９に挿入する以前の状態で示す図１０と同一の断面図である。図５では、径方向内方を矢印Ｌ１、径方向外方を矢印Ｌ２、周り方向を矢印Ｍで示し、図９では、上下方向を矢印Ｎで示す。
【００４３】
光ファイバフェルール研磨用ホルダー５０は、光ファイバフェルール研磨機１０３に着脱可能に設置され、光ファイバフェルール研磨機１０３によるそれら光ファイバ１０１の光ファイバフェルール１０１ａの研磨に使用される。光ファイバフェルール研磨用ホルダー５０は、所定面積および所定の厚さを有するホルダープレート５１（台座）と、ホルダープレート５１の周縁部５２に形成されて複数の光ファイバフェルール１０１ａを着脱可能に設置する複数の設置手段５３と、光ファイバフェルール研磨用ホルダー５０を光ファイバフェルール研磨機１０３に着脱可能に装着する研磨用ホルダー装着治具１０とから形成されている。
【００４４】
ホルダープレート５１は、アルミや合金鋼、鉄鋼等の金属または合成樹脂から作られ、円形の平板状（円盤状）に成形されている。ホルダープレート５１の中央部５４には、固定ネジ１６（六角穴付きボルト等）を螺着する螺着孔５５が穿孔されている。ホルダープレート５１の中央部５４には、研磨用ホルダー装着治具１０の取付プレート１１のネジ孔１７と螺着孔５５とに螺着された固定ネジ１６によって研磨用ホルダー装着治具１０が取り付けられている。なお、固定ネジ１６を螺着孔５５から取り外すことで、研磨用ホルダー装着治具１０をホルダープレート５１から取り外すことができる。なお、光ファイバフェルール研磨機１０３の研磨盤１１１（図１５参照）が円盤状のため、ホルダープレート５１を円形の平板状（円盤状）に成形することで、同一円周上での研磨が可能になり、複数の光ファイバフェルールの研磨結果にバラツキが少なくなり、光ファイバフェルールの設置数も多くすることができる。ただし、ホルダープレート５１の平面形状が円形ではなく、他のあらゆる形状に成形されていてもよい。
【００４５】
ホルダープレート５１の周縁部５２には、ホルダープレート５１の上下面５６，５７を上下方向へ貫通する複数の設置孔部５８（設置部）と、ホルダープレート５１の上下面５６，５７を上下方向へ貫通する複数のフェルール挿入孔５９とが形成されている。それら設置孔部５８とそれらフェルール挿入孔５９とは、ホルダープレート５１の周縁部５２において環状に並んでいる。ホルダープレート５１の周縁部５２には、固定ネジ１６（六角穴付きボルト等）を螺着する螺着孔６０が穿孔されている。
【００４６】
それら設置手段５３は、ホルダープレートの周縁部に形成されて環状に並んでいる。設置手段５３は、所定の厚さを有してホルダープレート５１の上方へ凸（隆起）となる平凸状のトーラス材６１（隆起部材）と、ホルダープレート５１に旋回可能に設置された複数の旋回ロッド６２と、ホルダープレート５１に旋回可能（移動可能）に設置された複数の固定駒６３と、ホルダープレート５１に設置された複数の板バネ６４（付勢手段）と、それら旋回ロッド６２に挿通された複数のスライドロック６５と、それら旋回ロッド６２に挿通されてロッド６２の軸方向へ延びる複数のコイルバネ６６とから形成されている。
【００４７】
トーラス材６１は、アルミや合金鋼、鉄鋼等の金属または合成樹脂から作られ、ホルダープレート５１の上面５６に位置し、環状に延びていて円環（リング）を形成している。トーラス材６１には、固定ネジ１６（六角穴付きボルト等）を挿通または螺着するネジ孔６７が穿孔されている。トーラス材６１は、ホルダープレート５１の螺着孔６０とトーラス材６１のネジ孔６７とに螺着された固定ネジ１６によってホルダープレート５１の周縁部５２に固定されている。なお、ホルダープレート５１の平面形状が円形以外の形状に成形されている場合、隆起部材（トーラス材６１）がホルダープレート５１の周縁部を囲繞する形状に成形される。
【００４８】
トーラス材６１は、図７に示すように、環状に並ぶ上方開口６８および環状に並ぶ起立支持部６９と、環状に並ぶ側方開口７０および環状に並ぶ傾斜支持部７１と、環状に並ぶ旋回開口７２および環状に並ぶ旋回部７３とを有する。トーラス材６１の起立支持部６９の下方には、一対の円筒状の軸孔９２が穿孔されている。軸孔９２には、旋回ロッド６２の後記する一対の軸８２が回転可能に設置される。
【００４９】
トーラス材６１のそれら上方開口６８は、円形に成形されて上方へ向かって開口している。上方開口６８には、起立した旋回ロッド６２が位置する。それら起立支持部６９は、上方開口６８を囲繞し、旋回ロッド６２の後記する中間部７９を支持してロッド６２を起立状態に支持する。それら起立支持部６９には、下方へ向かって凹むロック孔７４が形成されている。ロック孔７４は、その径が上方開口６８のそれよりもわずかに大きい。ロック孔７４には、旋回ロッド６２が起立したときにスライドロック６５の後記する下端部１００が進入する。
【００５０】
トーラス材６１のそれら側方開口７０は、円形に成形されて側方（径方向外方）へ向かって開口している。側方開口７０には、傾斜した旋回ロッド６２が位置する。それら傾斜支持部７１は、側方開口７０を囲繞し、旋回ロッド６２を傾斜状態に支持する。それら旋回開口７２は、上方開口６８と側方開口７０とにつながり、上方開口６８から側方開口７０に向かって弧を画くように傾斜している。旋回開口７２では、旋回ロッド６２が径方向内方と径方向外方とへ旋回する。それら旋回部７３は、旋回開口７２を囲繞し、起立支持部６９と傾斜支持部７１とにつながり、起立支持部６９から傾斜支持部７１に向かって弧を画くように傾斜している。
【００５１】
ホルダープレート５１のそれら設置孔部５８（それら設置部）は、ホルダープレート５１のフェルール挿入孔５９と旋回ロッド６２との間に形成され、トーラス材６１の起立支持部６９の径方向内方に隣接し、トーラス材６１の直近に位置している。それら設置孔部５８には、固定駒６３が旋回（移動）可能に設置されている。
【００５２】
それら設置孔部５８は、旋回ロッド６２の略直下に位置して上下方向へ延びる後壁７５と、後壁７５の両側に位置して上下方向へ延びる両側壁７６（両側面）と、後壁７５の側に位置する両側壁７６に形成された一対の軸孔７７とを有する。軸孔７７は、ホルダープレート５１の上下面５６，５７を上下方向へ貫通する貫通孔であり、両側壁７６から周り方向（水平方向）へ延びている。ホルダープレート５１のそれらフェルール挿入孔５９は、設置孔部５８の径方向内方に隣接し、設置孔部５８の直近に位置している。
【００５３】
それら旋回ロッド６２は、アルミや合金鋼、鉄鋼等の金属または合成樹脂から作られ、上下方向へ長い円柱状に成形されている。それら旋回ロッド６２は、トーラス材６１に沿って環状に並んでいる。旋回ロッド６２は、上端部７８および下端部８０と、上下端部７８，８０の間に位置する中間部７９とを有する。それら旋回ロッド６２は、ホルダープレート５１の設置孔部５８の径方向外方に隣接し、設置孔部５８やフェルール挿入孔５９の直近に位置してトーラス材６１の上方開口６８、旋回開口７２、側方開口７０に旋回可能に挿通されている。旋回ロッド６２の上端部７８には、ロッド６２を旋回させるときに摘持する摘み８１が取り付けられている。
【００５４】
それら旋回ロッド６２の下端部８０には、周り方向（横方向）へ延びる一対の円柱状の軸８２が形成されている。それら旋回ロッド６２の断面円形の下端８３には、固定駒６３に向かって凸となる押圧凸部８４が形成されているとともに、押圧凸部８４を除く残余面８５が画成されている。それら軸８２は、トーラス材６１の起立支持部６９の下方に穿孔された軸孔９２に回転可能に挿入されている。
【００５５】
それら旋回ロッド６２は、下端部８０（軸８２）を中心として傾斜状態から起立するようにトーラス材６１の旋回開口７２を径方向内方へ旋回可能であり、下端部８０（軸８２）を中心として起立状態から傾斜するようにトーラス材６１の旋回開口７２を径方向外方へ旋回可能である。旋回ロッド６２の押圧凸部８４は、固定駒６３の後記する頂部８８（傾斜面９５）に当接し、ロッド６２の径方向内方への旋回にともなって固定駒６３を径方向内方へ押圧する。
【００５６】
それら固定駒６３は、ホルダープレート５１のそれら設置孔部５８に旋回（移動）可能に設置（収容）され、トーラス材６１に沿って環状に並んでいる。固定駒６３は、図８示すように、ホルダープレート５１のフェルール挿入孔５９に対向する前部８６と、ホルダープレート５１の設置孔部５８の後壁７５に対向する後部８７と、旋回ロッド６２の下端８３に対向する頂部８８と、ホルダープレート５１の設置孔部５８の下方に位置する底部８９と、ホルダープレート５１の設置孔部５８の両側壁７６（両側面）に対向する両側部９０と、後部８７の側に位置する両側部９０から周り方向（横方向）へ延びる一対の回転軸９１（旋回軸）とを有する。それら回転軸９１は、ホルダープレート５１の設置孔部５８に形成された軸孔７７に配置されている。
【００５７】
それら固定駒６３の前部８６には、径方向外方（後方）へ向かって凹む嵌入部分９３（凹部分）が形成され、嵌入部分９３につながって底部８９に向かって湾曲する湾曲面９４が形成されている。なお、湾曲面９４の他に、嵌入部分９３につながって底部８９に向かうにつれて下り勾配に傾斜（後部に向かって傾斜）する傾斜面が固定駒６３の前部８６に形成されていてもよい。嵌入部分９３には、光ファイバフェルール１０１ａの頂部１０２が嵌入する。
【００５８】
それら固定駒６３の頂部８８は、前部８６から径方向外方（後方）へ向かうにつれて下方へ向かって下り勾配に傾斜する傾斜面９５を有する。傾斜面９５には、旋回ロッド６２の押圧凸部８４が当接する。それら固定駒６３の頂部８８の側に位置する両側部９０には、両側部９０から周り方向（横方向）へ延びる（張り出す）一対の当接部分９６が形成されている。
【００５９】
それら固定駒６３は、旋回ロッド６２の径方向内方への旋回にともなって設置孔部５８において回転軸９１を中心に径方向内方へ旋回（移動）し、光ファイバフェルール１０１ａをフェルール挿入孔５９に固定する。それら固定駒６３は、旋回ロッド６２の径方向外方への旋回にともなって設置孔部５８において回転軸９１を中心に径方向外方へ旋回（移動）し、フェルール挿入孔５９に対する光ファイバフェルール１０１ａの固定を解除する。
【００６０】
板バネ６４は、ホルダープレート５１の各設置孔部５８の径方向外方近傍に配置されている。板バネ６４は、ベース部９７と、ベース部９７につながる複数のバネ部９８とから形成されている。ベース部９７は、各設置孔部５８の径方向外方近傍に延びるホルダープレート５１の上面５６に位置し、トーラス材６１に沿って環状に延びていて円環（リング）を形成している。ベース部９７は、ホルダープレート５１の上面５６とトーラス材６１の傾斜支持部７１の下面との間に介在し、ホルダープレート５１とトーラス材６１の傾斜支持部７１とに挟まれた状態でホルダープレート５１の上面５６に固定されている。
【００６１】
それらバネ部９８は、互いに隣接する各設置孔部５８の間に延びるホルダープレート５１の上面５６に位置し、トーラス材６１に沿って環状に並んでいる。光ファイバフェルール研磨用ホルダー５０では、それら固定駒６３が各設置孔部５８に設置（収容）されたときに、互いに隣接する設置孔部５８の間に延びるホルダープレート５１の上面５６と固定駒６３の両側部９０の当接部分９６との間にそれらバネ部９８が介在し、固定駒６３の両側部９０の当接部分９６が板バネ６４のバネ部９８に当接する。それらバネ部９８は、フェルール挿入孔５９に対する光ファイバフェルール１０１ａの固定を解除するように各固定駒６３を上方であって径方向外方へ付勢し、その付勢力によって固定駒６３を径方向外方へ旋回（移動）させる。
【００６２】
それらスライドロック６５は、円筒状に成形され、旋回ロッド６２に挿通された状態でロッド６２の軸方向へスライドする。スライドロック６５は、それをスライドさせるときに摘持する円筒状の摘み部９９と、摘み部９９の直下に連なる円筒状の下端部１００とを有する。スライドロック６５の下端部１００は、その径が摘み部９９のそれよりも小さく、起立支持部６９のロック孔７４の径よりもわずかに小さいとともに、トーラス材６１の上方開口６８、側方開口７０、旋回開口７２の径よりもわずかに大きい。
【００６３】
それらスライドロック６５の摘み部９９は、トーラス材６１の上方開口６８、側方開口７０、旋回開口７２の径よりも大きい。コイルバネ６６は、旋回ロッド６２の上端部７８（摘み８１）とスライドロック６５の摘み部９９とに間に位置してロッド６２の軸方向へ延びている。コイルバネ６６は、その付勢力によってスライドロック６５を旋回ロッド６２の下端（下方）に向かって付勢する。
【００６４】
旋回ロッド６２が径方向外方へ旋回し、ロッド６２が傾斜した図１０の状態では、ロッド６２の押圧凸部８４による押圧力が固定駒６３の頂部８８の傾斜面９５に作用しておらず、固定駒６３が板バネ６４のバネ部９８の付勢力によって回転軸９１を中心に径方向外方へ旋回（移動）している。固定駒６３の前部８６および頂部８８が径方向外方へ旋回して前部８６および頂部８８がフェルール挿入孔５９から径方向外方へ離間し、ホルダープレート５１のフェルール挿入孔５９が開放されている。
【００６５】
旋回ロッド６２は、トーラス材６１の側方開口７０に位置し、トーラス材６１の傾斜支持部７１によって傾斜状態に支持されている。スライドロック６５がコイルバネ６６の付勢力に抗して旋回ロッド６２の上端部７８（摘み８１）に向かってスライドし、スライドロック６５の下端部１００が傾斜支持部７１に乗り上げている。傾斜支持部７１によって旋回ロッド６２が傾斜状態に支持された場合（旋回ロッド６２が傾斜状態に旋回した場合）、ロッド６２の下端８３の残余面８５が固定駒６３の頂部８８の傾斜面９５に当接する。
【００６６】
光ファイバフェルール研磨用ホルダー５０は、旋回ロッド６２が傾斜状態に旋回したときに、ロッド６２の下端８３のうちの押圧凸部８４が固定駒６３の頂部８８に当接し、押圧凸部８４を除く残余面８５が固定駒６３の傾斜面９５に当接するから、ロッド６２によって固定駒６３の径方向外方へのそれ以上の旋回（移動）を阻止することができ、固定駒６３の径方向外方への旋回範囲を規制することができる。
【００６７】
光ファイバフェルール研磨用ホルダー５０では、図１１に矢印Ｎ１で示すように、開放されたフェルール挿入孔５９に向かって光ファイバ１０１の光ファイバフェルール１０１ａを挿入し、図１０に示すように、フェルール挿入孔５９に光ファイバフェルール１０１ａを差し込む。光ファイバフェルール研磨用ホルダー５０は、スライドロック６５の下端部１００がコイルバネ６６の付勢力に抗して傾斜支持部７１に乗り上げ、下端部１００がコイルバネ６６の付勢力によって傾斜支持部７１に押し付けられ、トーラス材６１の傾斜支持部７１によって旋回ロッド６２が傾斜状態に支持されているから、ロッド６２が径方向内方へ不用意に旋回（移動）することはなく、フェルール挿入孔５９における固定駒６３の固定解除状態が維持されるとともに挿入孔５９の開放状態が維持され、フェルール挿入孔５９に光ファイバフェルール１０１ａを円滑に挿入することができる。
【００６８】
図１２は、旋回ロッド６２を旋回途中の状態で示す断面図であり、図１３は、旋回ロッド６２が起立状態に旋回したときの光ファイバフェルール研磨用ホルダー５０の部分拡大正面図である。図１４は、図１３のＣ−Ｃ線矢視断面図である。図１２では、径方向内方を矢印Ｌ１、径方向外方を矢印Ｌ２で示し、図１４では、径方向外方を矢印Ｌ２で示す。
【００６９】
光ファイバフェルール研磨用ホルダー５０に光ファイバ１０１の光ファイバフェルール１０１ａを設置固定する手順は、以下のとおりである。ホルダープレート５１の開放状態にあるフェルール挿入孔５９に光ファイバフェルール１０１ａを挿入した後、旋回ロッド６２の摘み８１を摘持し、図１０に矢印Ｌ１で示すように、傾斜状態にある旋回ロッド６２を径方向内方へ旋回させる。
【００７０】
旋回ロッド６２を径方向内方へ旋回させると、図１２に示すように、旋回ロッド６２が下端部８０を中心にトーラス材６１の側方開口７０から上方開口６８に向かって旋回し、ロッド６２の中間部７９がトーラス材６１の旋回開口７２を移動する。スライドロック６５の下端部１００がトーラス材６１の旋回部７３に乗り上げた状態で下端部１００が旋回部７３を摺動しつつ、旋回ロッド６２がトーラス材６１の傾斜支持部７１から起立支持部６９に向かって移動する。
【００７１】
旋回ロッド６２を径方向内方へ旋回させると、ロッド６２の下端８３に形成された押圧凸部８４が固定駒６３の頂部８８の傾斜面９５を押圧し、固定駒６３が回転軸９１を中心に板バネ６４のバネ部９８（付勢手段）の付勢力に抗して径方向内方へ次第に旋回（移動）し、固定駒６３の前部８６および頂部８８が径方向内方へ旋回して前部８６および頂部８８がフェルール挿入孔５９に次第に近づく。
【００７２】
光ファイバフェルール研磨用ホルダー５０は、旋回ロッド６２の傾斜状態から起立状態への旋回時にロッド６２の押圧凸部８４が固定駒６３の傾斜面９５を摺動下に押圧することで、板バネ６４のバネ部９８の付勢力に抗して固定駒６３を径方向内方へ円滑に旋回（移動）させることができ、ロッド６２の押圧凸部８４によって回転軸９１を中心に固定駒６３を径方向内向へ確実に旋回させることができる。
【００７３】
図１２の状態から旋回ロッド６２をさらに径方向内方へ旋回させると、ロッド６２がトーラス材６１の上方開口６８に向かって旋回部７３を移動し、図１３，１４に示すように、ロッド６２が旋回部７３から起立支持部６９に移動して傾斜状態から起立状態に旋回する。旋回ロッド６２の傾斜状態から起立状態への旋回にともなって固定駒６３が径方向内方へさらに旋回（移動）し、固定駒６３の前部８６がフェルール挿入孔５９に移動する。
【００７４】
旋回ロッド６２が起立状態に旋回すると、ロッド６２がトーラス材６１の上方開口６８に位置するとともに、ロッド６２の中間部７９がトーラス材６１の起立支持部６９に当接し、径方向内方へのロッド６２のそれ以上の旋回が阻止される。旋回ロッド６２がトーラス材６１の起立支持部６９に移動すると、コイルバネ６６の付勢力によってスライドロック６５がロッド６２の下方へ移動し、スライドロック６５の下端部１００がロック孔７４に進入する。
【００７５】
スライドロック６５の下端部１００がロック孔７４に進入することで、旋回ロッド６２が起立支持部６９に旋回不能に固定されてロッド６２の起立状態が維持される。さらに、コイルバネ６６の付勢力によってスライドロック６５が旋回ロッド６２の下方へ押圧され、スライドロック６５の下端部１００のロック孔７４への進入状態が維持される。
【００７６】
旋回ロッド６２がトーラス材６１において起立し、固定駒６３の前部８６がフェルール挿入孔５９に移動すると、図１４に示すように、固定駒６３の底部８９が設置孔部５８の下方に位置するとともに、光ファイバフェルール１０１ａの頂部１０２が固定駒６３の前部８６の嵌入部分９３に嵌入する。光ファイバフェルール１０１ａの頂部１０２が嵌入部分９３に嵌入することで、光ファイバフェルール１０１ａがホルダープレート５１のフェルール挿入孔５９に遊動不能であって挿入孔５９から脱出不能に固定される。
【００７７】
光ファイバフェルール研磨用ホルダー５０は、スライドロック６５の下端部１００のロック孔７４に対する進入状態がコイルバネ６６の付勢力によって維持されるとともに、旋回ロッド６２の起立状態が維持されるから、ロッド６２が径方向外方へ不用意に旋回することはなく、フェルール挿入孔５９に対する光ファイバフェルール１０１ａの固定が不用意に解除されることはなく、固定駒６３による光ファイバフェルール１０１ａのフェルール挿入孔５９における固定を維持することができる。
【００７８】
光ファイバフェルール研磨用ホルダー５０は、旋回ロッド６２が起立状態に旋回したときに、光ファイバフェルール１０１ａの頂部１０２が固定駒６３の前部８６に形成された嵌入部分９３に嵌入するから、固定駒６３の嵌入部分９３によって光ファイバフェルール１０１ａをフェルール挿入孔５９に遊動不能であって挿入孔５９から脱出不能に固定することができる。
【００７９】
光ファイバフェルール研磨用ホルダー５０は、旋回ロッド６２の旋回にともなって移動した固定駒６３が光ファイバフェルール１０１ａをフェルール挿入孔５９に固定するから、旋回ロッド６２を旋回させる操作のみによって光ファイバフェルール１０１ａを挿入孔５９に固定することができ、フェルール挿入孔５９に対する光ファイバフェルール１０１ａの固定に手間と時間とを要せず、光ファイバフェルール１０１ａを挿入孔５９に簡単かつ容易に固定することができる。
【００８０】
光ファイバフェルール研磨用ホルダー５０は、それら固定駒６３によってそれら光ファイバ１０１の光ファイバフェルール１０１ａが各フェルール挿入孔５９に固定され、各光ファイバフェルール１０１ａの各フェルール挿入孔５９に対する固定条件を同一にすることができ、各光ファイバフェルール１０１ａに均等に研磨加工を施すことができる。
【００８１】
図１５は、光ファイバフェルール研磨用ホルダー５０を光ファイバフェルール研磨機１０３に取り付けた状態の側面図であり、図１６は、図１５のＤ−Ｄ線矢視断面図である。図１７は、研磨加工中の光ファイバフェルール研磨機１０３の斜視図である。なお、図１５では、光ファイバ１０１の図示を省略し、図１７では、光ファイバ１０１および各種スイッチの図示を省略している。複数の光ファイバ１０１の光ファイバフェルール１０１ａをそれらフェルール挿入孔５９に設置固定した後、光ファイバフェルール研磨用ホルダー５０を光ファイバフェルール研磨機１０３の装着軸１０４に取り付ける。光ファイバフェルール研磨機１０３の装着軸１０４に光ファイバフェルール研磨用ホルダー５０を取り付ける手順は、以下のとおりである。
【００８２】
光ファイバフェルール研磨機１０３の装着軸１０４は、光ファイバフェルール研磨機１０３の旋回アーム１０５に設置されている。旋回アーム１０５は、光ファイバフェルール研磨機１０３の上下方向へ旋回する。旋回アーム１０５には、挿入パイプ１２の頂部２０の位置決め凹部２２が進入する位置決め凸部１０６が形成されている。
【００８３】
光ファイバフェルール研磨機１０３は、空気圧または油圧を利用した衝撃吸収機能を備え、その装着軸１０４が衝撃吸収機能によって軸方向前方へ向かって押圧されている。装着軸１０４は、図１６に示すように、その先端１０７から軸方向後方へ向かって上り勾配に傾斜する先端斜面１０８と、先端斜面１０８から軸方向後方へ離間して軸方向へ延びていて装着軸１０４の径方向内方へ凹む中央凹部１０９とを有する。
【００８４】
挿入パイプ１２の頂部２０の位置決め凹部２２を旋回アーム１０５の位置決め凸部１０６に位置させつつ、光ファイバフェルール研磨用ホルダー５０の中央部５４に取り付けられた研磨用ホルダー装着治具１０の挿入パイプ１２の挿入空間２１に光ファイバフェルール研磨機１０３の装着軸１０４の先端１０７を配置する。位置決め凸部１０６を位置決め凹部２２に進入させるとともに、装着軸１０４の先端１０７を挿入パイプ１２の挿入空間２１に挿入する。位置決め凸部１０６を位置決め凹部２２に進入させることで、装着軸１０４に対する挿入パイプ１２の挿入位置が決められ、挿入パイプ１２が装着軸１０４の所定の位置に装着される。
【００８５】
装着軸１０４の先端１０７を挿入空間２１に挿入すると、挿入パイプ１２の内周面２５から挿入空間２１に露出する操作ロッド１４の露出端部３６に装着軸１０４の先端斜面１０８が当接する。装着軸１０４を挿入パイプ１２の挿入空間２１に次第に挿入すると、コイルバネ１５の付勢力に抗して操作ロッド１４の露出端部３６が装着軸１０４の先端斜面１０８に押圧され、ハンドル軸３７の前端部分３８（当接フランジ３９）が収納ケース１３の収容空間２９において径方向後方へ移動（後退）するとともに、露出端部３６が装着軸１０４の先端斜面１０８の傾斜に沿って径方向外方へ次第に移動（後退）し、露出端部３６が挿入パイプ１２の貫通孔２７と設置凹部２３とに移動する。
【００８６】
装着軸１０４が挿入パイプ１２の挿入空間２１に挿入される過程において操作ロッド１４の露出端部３６の先端が装着軸１０４の外周面１１０を摺動しつつ露出端部３６が装着軸１０４の中央凹部１０９に向かって移動する。操作ロッド１４の露出端部３６が装着軸１０４の外周面１１０を通り過ぎて中央凹部１０９に達すると、コイルバネ１５の付勢力によって露出端部３６が径方向内方へ進出（前進）し、露出端部３６が挿入パイプ１２の挿入空間２１に露出するとともに、挿入空間２１に露出した露出端部３６が装着軸１０４の中央凹部１０９に露出し、露出端部３６が装着軸１０４の中央凹部１０９に係入する。露出端部３６が中央凹部１０９に係入することで、研磨用ホルダー装着治具１０が光ファイバフェルール研磨機１０３の装着軸１０４に装着され、それによって光ファイバフェルール研磨用ホルダー５０が光ファイバフェルール研磨機１０３に取り付けられる。
【００８７】
光ファイバフェルール研磨用ホルダー５０を光ファイバフェルール研磨機１０３に取り付けた後、光ファイバフェルール研磨機１０３の旋回アーム１０５を研磨盤１１１に向かって旋回させ、ホルダープレート５１の下面５７を光ファイバフェルール研磨機１０３の研磨盤１１１に当接させる。光ファイバフェルール研磨機１０３を稼働させることで、光ファイバフェルール研磨用ホルダー５０に設置固定されたそれら光ファイバフェルール１０１ａの研磨が行われる。
【００８８】
研磨用ホルダー装着治具１０は、操作ロッド１４の露出端部３６が装着軸１０４の中央凹部１０９に達すると、コイルバネ１５の付勢力によって露出端部３６が中央凹部１０９に向かって径方向内方へ進出しつつ露出端部３６が中央凹部１０９に露出し、露出端部３６が中央凹部１０９に係入するから、挿入パイプ１２の挿入空間２１に光ファイバフェルール研磨機１０３の装着軸１０４を挿入するだけで、研磨用ホルダー装着治具１０を装着軸１０４に装着することができ、研磨用ホルダー装着治具１０を利用することで、手間と時間とを要せずに光ファイバフェルール研磨用ホルダー５０を光ファイバフェルール研磨機１０３に迅速かつ容易に取り付けることができる。その結果として、光ファイバフェルール研磨機１０３を利用した光ファイバフェルール１０１ａの研磨作業を効率よく短時間に行うことができる。
【００８９】
光ファイバフェルール研磨機１０３による光ファイバフェルール１０１ａの研磨が終了した後、光ファイバフェルール研磨機１０３から光ファイバフェルール研磨用ホルダー５０を取り外す。光ファイバフェルール研磨機１０３から光ファイバフェルール研磨用ホルダー５０を取り外す手順は、以下のとおりである。
【００９０】
操作ロッド１４のハンドル軸３７の摘み４１を摘持し、コイルバネ１５の付勢力に抗してハンドル軸３７を径方向外方へ移動させる（引っ張る）。ハンドル軸３７を径方向外方へ移動させると、ハンドル軸３７の前端部分３８（当接フランジ３９）が収納ケース１３の収容空間２９において径方向後方へ移動（後退）するとともに、操作ロッド１４の露出端部３６が挿入パイプ１２の挿入空間２１から径方向外方へ移動（後退）し、露出端部３６が挿入パイプ１２の貫通孔２７と設置凹部２３とに移動して露出端部３６が装着軸１０４の中央凹部１０９から退出する
【００９１】
操作ロッド１４の露出端部３６が挿入パイプ１２の挿入空間２１から径方向外方へ移動し、露出端部３６が挿入空間２１の内周面２５と面一または内周面２５の径方向外方へ引っ込むと、装着軸１０４の中央凹部１０９に対する露出端部３６の係入が解除され、装着軸１０４からの研磨用ホルダー装着治具１０の抜き取りが可能になる。コイルバネ１５の付勢力に抗してハンドル軸３７を径方向外方へ移動させつつ、装着軸１０４から研磨用ホルダー装着治具１０を抜き取ることで、光ファイバフェルール研磨機１０３から光ファイバフェルール研磨用ホルダー５０を取り外す。
【００９２】
研磨用ホルダー装着治具１０は、コイルバネ１５の付勢力に抗して操作ロッド１４を径方向外方に移動させ、操作ロッド１４の露出端部３６を挿入パイプ１２の挿入空間２１から径方向外方へ移動させることで露出端部３６が装着軸１０４の中央凹部１０９から退出し、中央凹部に対する露出端部の係入が解除されるから、コイルバネ１５の付勢力に抗して露出端部３６を挿入パイプ１２の挿入空間２１から径方向外方へ移動させるだけで、装着軸１０４からの研磨用ホルダー装着治具１０の抜き取りを可能にすることができ、研磨用ホルダー装着治具１０を利用することで、手間と時間とを要せずに光ファイバフェルール研磨用ホルダー５０を光ファイバフェルール研磨機１０３から迅速かつ容易に取り外すことができる。
【００９３】
光ファイバフェルール研磨機１０３から光ファイバフェルール研磨用ホルダー５０を取り外した後、光ファイバフェルール研磨用ホルダー５０のフェルール挿入孔５９から研磨後の光ファイバフェルール１０１ａを抜き取る。フェルール挿入孔５９から光ファイバ１０１の光ファイバフェルール１０１ａを抜き取る手順は、以下のとおりである。起立状態にある旋回ロッド６２に挿通されたスライドロック６５の摘み部９９を摘持し、コイルバネ６６の付勢力に抗してスライドロック６５をロッド６２の上端部７８に向かって移動させ、スライドロック６５の下端部１００をロック孔７４から引き出す。次に、摘み部９９を摘持しつつ旋回ロッド６２の摘み８１を摘持し、図１４に矢印Ｌ２で示すように、起立状態にある旋回ロッド６２を径方向外方へ旋回させる。
【００９４】
旋回ロッド６２を径方向外方へ旋回させると、ロッド６２が下端部８０を中心にトーラス材６１の上方開口６８から側方開口７０に向かって旋回し、ロッド６２の上端部７８および中間部７９がトーラス材６１の旋回開口７２を移動する。スライドロック６５の下端部１００がトーラス材６１の旋回部７３に乗り上げた状態で下端部１００が旋回部７３を摺動しつつ、旋回ロッド６２がトーラス材６１の起立支持部６９から傾斜支持部７１に向かって移動する。
【００９５】
旋回ロッド６２を径方向外方へ旋回させると、ロッド６２の下端８３に形成された押圧凸部８４が固定駒６３の頂部８８の傾斜面９５を上方へ移動し、固定駒６３が回転軸９１を中心に板バネ６４のバネ部９８（付勢手段）の付勢力によって径方向外方へ次第に旋回（移動）し、固定駒６３の前部８６および頂部８８が径方向外方へ旋回して前部８６および頂部８８がフェルール挿入孔５９から次第に離間する（図１２参照）。
【００９６】
旋回ロッド６２をさらに径方向外方へ旋回させると、ロッド６２がトーラス材６１の側方開口７０に向かって旋回部７３を移動し、旋回部７３から傾斜支持部７１に移動して起立状態から傾斜状態へ旋回する。旋回ロッド６２の起立状態から傾斜状態への旋回にともなって固定駒６３が径方向外方へさらに旋回し、固定駒６３の前部８６がフェルール挿入孔５９から離間する。
【００９７】
旋回ロッド６２が傾斜状態に旋回すると、ロッド６２がトーラス材６１の側方開口７０に位置するとともに、ロッド６２の中間部７９がトーラス材６１の傾斜支持部７１に当接し、径方向外方へのロッド６２のそれ以上の旋回が阻止される。旋回ロッド６２がトーラス材６１の傾斜支持部７１に移動すると、固定駒６３の底部８９が設置孔部５８の下方から上方へ離間するとともに、固定駒６３の前部８６の嵌入部分９３が光ファイバフェルール１０１ａの頂部１０２から径方向外方へ離間し、ホルダープレート５１のフェルール挿入孔５９に対する光ファイバフェルール１０１ａの固定が解除される（図１０参照）。
【００９８】
フェルール挿入孔５９に対する光ファイバフェルール１０１ａの固定を解除した後、挿入孔５９から光ファイバフェルール１０１ａを引き抜く。光ファイバフェルール研磨用ホルダー５０は、板バネ６４のバネ部９８の付勢力によって固定駒６３の旋回（移動）状態が維持されるとともに、フェルール挿入孔５９の開放状態が維持されるから、それら挿入孔５９に各光ファイバ１０１の光ファイバフェルール１０１ａを円滑に挿入することができ、それら挿入孔５９から光ファイバフェルール１０１ａを円滑に引き抜くことができる。
【００９９】
光ファイバフェルール研磨用ホルダー５０は、旋回ロッド６２の起立状態から傾斜状態への旋回（径方向外方への旋回）にともなって固定駒６３が板バネ６４のバネ部９８（付勢手段）の付勢力によって径方向外方へ旋回して固定駒６３の嵌入部分９３が光ファイバフェルール１０１ａの頂部１０２から離れ、固定駒６３による光ファイバフェルール１０１ａの固定が解除されるから、ロッド６２を径方向外方へ旋回させる操作のみによって固定駒６３による光ファイバフェルール１０１ａのフェルール挿入孔５９における固定を解除することができ、挿入孔５９に対する光ファイバフェルール１０１ａの固定解除に手間と時間とを要せず、光ファイバフェルール１０１ａの固定を簡単かつ容易に解除することができる。光ファイバフェルール研磨用ホルダー５０は、板バネ６４の付勢力によって固定駒６３の移動状態が維持されるとともに、フェルール挿入孔５９の開放状態が維持されるから、それら挿入孔５９に各光ファイバ１０１の光ファイバフェルール１０１ａを円滑に挿入することができ、それら挿入孔５９から光ファイバフェルール１０１ａを円滑に引き抜くことができる。
【０１００】
なお、光ファイバフェルール研磨用ホルダー５０は、研磨用ホルダー装着治具１０の取付プレート１１をホルダープレート５１に取り付けたときに、ハンドル軸３７の後端部分４０が環状に並ぶそれら設置手段５３（旋回ロッド６２）の間を通ってホルダープレート５１の周縁部５２から径方向外方に延出する。したがって、ハンドル軸３７の後端部分４０が設置手段５３（旋回ロッド６２の旋回）を妨害することはなく、設置手段５３（旋回ロッド６２の旋回）によって複数の光ファイバ１０１の光ファイバフェルール１０１ａをホルダープレート５１の周縁部５２に設置することができるとともに、ホルダープレート５１の周縁部５２から径方向外方に延出するハンドル軸３７の後端部分４０を径方向外方へ移動させることで、露出端部３６が装着軸１０４の中央凹部１０９から退出するから、中央凹部１０９に対する露出端部３６の係入を容易に解除することができる。
【符号の説明】
【０１０１】
１０    研磨用ホルダー装着治具
１１    取付プレート
１２    挿入パイプ
１３    収納ケース
１４    操作ロッド
１５    コイルバネ（付勢手段）
１６    固定ネジ
１７    ネジ孔
１８    底部
１９    中央部
２０    頂部
２１    挿入空間
２２    位置決め凹部
２３    設置凹部
２４    外周面
２５    内周面
２６    周壁
２７    貫通孔
２８    ネジ孔
２９    収容空間
３０    周壁
３１    後端壁
３２    前端壁
３３    挿通孔
３４    挿通孔
３５    ネジ孔
３６    露出端部
３７    ハンドル軸
３８    前端部分
３９    当接フランジ
４０    後端部分
４１    摘み
４２    前端部
４３    後端部
５０    光ファイバフェルール研磨用ホルダー
５１    ホルダープレート
５２    周縁部
５３    設置手段
５４    中央部
５５    螺着孔
５６    上面
５７    下面
５８    設置孔部
５９    フェルール挿入孔
６０    螺着孔
６１    トーラス材（隆起部材）
６２    旋回ロッド
６３    固定駒
６４    板バネ（付勢手段）
６５    スライドロック
６６    コイルバネ（付勢手段）
６７    ネジ孔
６８    上方開口
６９    起立支持部
７０    側方開口
７１    傾斜支持部
７２    旋回開口
７３    旋回部
７４    ロック孔
７５    後壁
７６    両側壁
７７    軸孔
７８    上端部
７９    中間部
８０    下端部
８１    摘み
８２    軸
８３    下端
８４    押圧凸部
８５    残余面
８６    前部
８７    後部
８８    頂部
８９    底部
９０    両側部
９１    回転軸
９２    軸孔
９３    嵌入部分
９４    湾曲面
９５    傾斜面
９６    当接部分
９７    ベース部
９８    バネ部
９９    摘み部
１００  下端部
１０１  光ファイバ
１０１ａ光ファイバフェルール
１０２  頂部
１０３  光ファイバフェルール研磨機
１０４  装着軸
１０５  旋回アーム
１０６  位置決め凸部
１０７  先端
１０８  先端斜面
１０９  中央凹部
１１０  外周面
１１１  研磨盤
【手続補正２】
【補正対象書類名】特許請求の範囲
【補正対象項目名】全文
【補正方法】変更
【補正の内容】
【特許請求の範囲】
【請求項１】
光ファイバフェルールの研磨に使用される光ファイバフェルール研磨用ホルダーを光ファイバフェルール研磨機の装着軸に着脱可能に取り付ける研磨用ホルダー装着治具において、
前記光ファイバフェルール研磨機の装着軸が、その先端から軸方向後方へ向かって上り勾配に傾斜する先端斜面と、前記先端斜面から軸方向後方へ離間して軸方向へ延びていて前記装着軸の径方向内方へ凹む中央凹部とを備え、
前記研磨用ホルダー装着治具が、前記光ファイバフェルール研磨用ホルダーのホルダープレートに取り付けられる取付プレートと、前記取付プレートから縦方向へ延びていて前記光ファイバフェルール研磨機の装着軸を挿脱可能に挿入する挿入空間を有する挿入パイプと、前記挿入パイプの周壁を径方向へ貫通する貫通孔に挿入されて該挿入パイプから径方向外方へ延びる操作ロッドと、前記挿入パイプの外周面に着脱可能に設置された収納ケースと、前記操作ロッドを前記挿入パイプの径方向内方へ付勢するコイルバネとから形成され、
前記操作ロッドが、前記コイルバネの付勢力によって前記挿入パイプの内周面から挿入空間に露出する露出端部と、前記露出端部につながって該露出端部から径方向外方へ延出し、前記コイルバネの付勢力に抗して前記露出端部を前記挿入パイプの挿入空間から径方向外方へ移動させるハンドル軸と、前記ハンドル軸の前端部分に形成されて該操作ロッドの径方向外方へ延びる当接フランジとを有し、
前記収納ケースが、前記挿入パイプの径方向へ延びていて前記操作ロッドのハンドル軸の前端部分と前記コイルバネとを収容する収容空間と、前記収容空間を囲繞する周壁と、前記ハンドル軸の前端部分を挿通する挿通孔が穿孔された後端壁と、前記操作ロッドの露出端部を挿通する挿通孔が穿孔されて前記挿入パイプに当接する前端壁とを有し、
前記コイルバネが、前記ハンドル軸の前端部分に挿通された状態で前記収容空間に収容され、前記当接フランジの前端面が、前記挿入パイプの周壁に当接し、前記コイルバネの前端部が、前記当接フランジに当接しているとともに、前記コイルバネの後端部が、前記収納ケースの後端壁に当接し、
前記研磨用ホルダー装着治具は、前記光ファイバフェルール研磨機の装着軸を前記挿入パイプの挿入空間に挿入すると、前記コイルバネの付勢力に抗して前記露出端部が前記先端斜面に沿って径方向外方へ次第に移動し、前記露出端部が前記装着軸の外周面を摺動しつつ前記中央凹部に達すると、前記コイルバネの付勢力によって前記露出端部が前記中央凹部に向かって径方向内方へ進出しつつ該露出端部が該中央凹部に露出し、該研磨用ホルダー装着治具が前記装着軸に装着され、前記コイルバネの付勢力に抗してハンドル軸を径方向外方へ移動させ、前記露出端部を前記挿入パイプの挿入空間から径方向外方へ移動させることで該露出端部が前記中央凹部から退出し、前記装着軸からの該研磨用ホルダー装着治具の抜き取りが可能になることを特徴とする研磨用ホルダー装着治具。
【請求項２】
前記研磨用ホルダー装着治具の取付プレートが、前記ホルダープレートの中央部に着脱可能に取り付けられる請求項１に記載の研磨用ホルダー装着治具。
【請求項３】
複数の前記光ファイバフェルールを前記光ファイバフェルール研磨用ホルダーに着脱可能に設置する複数の設置手段が、前記ホルダープレートの周縁部に形成され、前記研磨用ホルダー装着治具は、前記取付プレートを前記ホルダープレートに取り付けたときに、前記ハンドル軸の後端部分がそれら設置手段の間を通って前記ホルダープレートの周縁部から径方向外方に延出する請求項２に記載の研磨用ホルダー装着治具。
【請求項４】
前記光ファイバフェルール研磨機の装着軸を挿入パイプの挿入空間に挿入するときに、装着軸に対する挿入パイプの挿入位置を決める位置決め凹部または位置決め凸部が、前記挿入パイプの頂部に形成されている請求項１ないし請求項３いずれかに記載の研磨用ホルダー装着治具。
【請求項５】
光ファイバフェルールの研磨に使用される光ファイバフェルール研磨用ホルダーにおいて、
前記光ファイバフェルール研磨用ホルダーが、所定面積のホルダープレートと、前記ホルダープレートの周縁部に形成されて複数の前記光ファイバフェルールを着脱可能に設置する複数の設置手段と、前記光ファイバフェルール研磨用ホルダーを光ファイバフェルール研磨機の装着軸に着脱可能に取り付ける研磨用ホルダー装着治具とを有し、
前記光ファイバフェルール研磨機の装着軸が、その先端から軸方向後方へ向かって上り勾配に傾斜する先端斜面と、前記先端斜面から軸方向後方へ離間した位置に軸方向へ延びていて前記装着軸の径方向内方へ凹む中央凹部とを備え、
前記研磨用ホルダー装着治具が、前記光ファイバフェルール研磨用ホルダーのホルダープレートに設置された取付プレートと、前記取付プレートから縦方向へ延びていて前記光ファイバフェルール研磨機の装着軸を挿脱可能に挿入する挿入空間を有する挿入パイプと、前記挿入パイプの周壁を径方向へ貫通する貫通孔に挿入されて該挿入パイプから径方向外方へ延びる操作ロッドと、前記挿入パイプの外周面に着脱可能に設置された収納ケースと、前記操作ロッドを前記挿入パイプの径方向内方へ付勢するコイルバネとから形成され、
前記操作ロッドが、前記コイルバネの付勢力によって前記挿入パイプの内周面から挿入空間に露出する露出端部と、前記露出端部につながって該露出端部から径方向外方へ延出し、前記コイルバネの付勢力に抗して前記露出端部を前記挿入パイプの挿入空間から径方向外方へ移動させるハンドル軸と、前記ハンドル軸の前端部分に形成されて該操作ロッドの径方向外方へ延びる当接フランジとを有し、
前記収納ケースが、前記挿入パイプの径方向へ延びていて前記操作ロッドのハンドル軸の前端部分と前記コイルバネとを収容する収容空間と、前記収容空間を囲繞する周壁と、前記ハンドル軸の前端部分を挿通する挿通孔が穿孔された後端壁と、前記操作ロッドの露出端部を挿通する挿通孔が穿孔されて前記挿入パイプに当接する前端壁とを有し、
前記コイルバネが、前記ハンドル軸の前端部分に挿通された状態で前記収容空間に収容され、前記当接フランジの前端面が、前記挿入パイプの周壁に当接し、前記コイルバネの前端部が、前記当接フランジに当接しているとともに、前記コイルバネの後端部が、前記収納ケースの後端壁に当接し、
前記光ファイバフェルール研磨用ホルダーは、前記光ファイバフェルール研磨機の装着軸を前記研磨用ホルダー装着治具の挿入パイプの挿入空間に挿入すると、前記コイルバネの付勢力に抗して前記露出端部が前記先端斜面に沿って径方向外方へ次第に移動し、前記露出端部が前記装着軸の外周面を摺動しつつ前記中央凹部に達すると、前記コイルバネの付勢力によって前記露出端部が前記中央凹部に向かって径方向内方へ進出しつつ該露出端部が該中央凹部を露出し、前記研磨用ホルダー装着治具が前記装着軸に装着され、前記コイルバネの付勢力に抗して前記ハンドル軸を径方向外方へ移動させ、前記露出端部を前記挿入パイプの挿入空間から径方向外方へ移動させることで該露出端部が前記中央凹部から退出し、前記装着軸からの前記研磨用ホルダー装着治具の抜き取りが可能になることを特徴とする光ファイバフェルール研磨用ホルダー。
【請求項６】
前記複数の設置手段が、前記ホルダープレートの周縁部に形成され、前記研磨用ホルダー装着治具の取付プレートが、前記ホルダープレートの中央部に取り付けられ、前記ハンドル軸の後端部分が、それら設置手段の間を通って前記ホルダープレートの周縁部から径方向外方に延出している請求項５に記載の光ファイバフェルール研磨用ホルダー。
【手続補正３】
【補正対象書類名】図面
【補正対象項目名】図５
【補正方法】変更
【補正の内容】
【図５】
2018134691.tif 000020
【手続補正４】
【補正対象書類名】図面
【補正対象項目名】図１１
【補正方法】変更
【補正の内容】
【図１１】
2018134691.tif 000021